(57)【要約】      （修正有）【課題】低音再生帯域を改善し、音圧の平坦特性を改善できる表示装置を提供する。【解決手段】表示装置は、圧電特性を有する複数の第１部分２１１、２２１、２３１、２４１および複数の第１部分の間に配置されてフレキシビリティを有する複数の第２部分２１２、２２２、２３２、２４２を含む複数のサブモジュール２１０、２２０、２３０、２４０を備えた振動モジュール２００を含む。そして、複数のサブモジュールのそれぞれの複数の第１部分の配列方向はすべて同じか、または一部が異なる。【選択図】図６
2020167360.tif 000002
【特許請求の範囲】
【請求項１】
映像を表示する表示パネル、および
前記表示パネルの背面に配置して前記表示パネルを振動させる複数のサブモジュールを有する圧電複合層を備えた少なくとも一つの振動モジュールを含み、
前記複数のサブモジュールのそれぞれは、
圧電特性を有する複数の第１部分、および
前記複数の第１部分の間に配置されて柔軟性を有する複数の第２部分を含み、
前記複数のサブモジュールのそれぞれの前記複数の第１部分の配列方向はすべて同じか、または一部が異なる、表示装置。
【請求項２】
前記複数の第１部分が、非柔軟性無機物質を含み、
前記複数の第２部分は、柔軟性有機物質を含む、請求項１に記載の表示装置。
【請求項３】
前記柔軟性有機物質は、前記非柔軟性無機物質または前記表示装置に加わる衝撃を吸収する、請求項２に記載の表示装置。
【請求項４】
前記表示パネルと前記少なくとも一つの振動モジュールの間に配置された接着部材をさらに含み、
前記複数の第２部分に対する前記接着部材の接着力が、前記複数の第１部分に対する前記接着部材の接着力よりも大きい、請求項１に記載の表示装置。
【請求項５】
前記複数のサブモジュールそれぞれの前記複数の第１部分が、平面上で第１方向に延長されるか、または前記第１方向と垂直な第２方向に延長される、請求項１に記載の表示装置。
【請求項６】
前記複数のサブモジュールが、第１サブモジュール、第２サブモジュール、第３サブモジュール、および第４サブモジュールを含み、
前記第１〜第４サブモジュールは、２×２配列で配置された、請求項１に記載の表示装置。
【請求項７】
前記第１〜第４サブモジュールの複数の第１部分の配列方向がすべて同じである、請求項６に記載の表示装置。
【請求項８】
前記第１および第２サブモジュールの複数の第１部分の配列方向と前記第３および第４サブモジュールの複数の第１部分の配列方向が互いに異なる、請求項６に記載の表示装置。
【請求項９】
前記第１および第３サブモジュールの複数の第１部分の配列方向が、前記第２および第４サブモジュールの複数の第１部分の配列方向と互いに異なる、請求項６に記載の表示装置。
【請求項１０】
前記表示パネルと、前記少なくとも一つの振動モジュールの間に介在するプレートをさらに含む、請求項１に記載の表示装置。
【請求項１１】
第１領域および第２領域を含み、映像を表示する表示パネル、および
前記表示パネルの背面に配置され、前記表示パネルの第１領域および第２領域のそれぞれを振動させる複数の振動モジュールを含み、
前記複数の振動モジュールのそれぞれが、複数のサブモジュールを有する圧電複合層を含み、
前記複数のサブモジュールのそれぞれは、
圧電特性を有する複数の第１部分、および
前記複数の第１部分の間に配置されて柔軟性を有する複数の第２部分を含み、
前記複数のサブモジュールそれぞれの前記複数の第１部分の配列方向はすべて同じか、または一部が異なる、表示装置。
【請求項１２】
前記複数の振動モジュールが、
前記第１領域と重畳する第１振動モジュール、
前記第１領域と重畳して前記第１振動モジュールと互い違いにまたは対角線に沿って配置される第２振動モジュール、
前記第２領域と重畳する第３振動モジュール、および
前記第２領域と重畳して前記第３振動モジュールと互い違いにまたは対角線に沿って配置される第４振動モジュールを含む、請求項１１に記載の表示装置。
【請求項１３】
前記第１振動モジュールの前記複数のサブモジュールそれぞれの前記複数の第１部分の配列方向が、前記第３振動モジュールの前記複数のサブモジュールそれぞれの前記複数の第１部分の配列方向と同じであり、
前記第２振動モジュールの前記複数のサブモジュールのそれぞれの前記複数の第１部分の配列方向は、前記第４振動モジュールの前記複数のサブモジュールそれぞれの前記複数の第１部分の配列方向と同じ、請求項１２に記載の表示装置。
【請求項１４】
前記第１および第２振動モジュールそれぞれの前記複数のサブモジュールの前記複数の第１部分の配列方向が、すべて同じ、請求項１２に記載の表示装置。
【請求項１５】
前記第１〜第４振動モジュールのそれぞれが、
前記圧電複合層の左側上段に配置された第１サブモジュール、
前記圧電複合層の右側上段に配置された第２サブモジュール、
前記圧電複合層の左側下段に配置された第３サブモジュール、および
前記圧電複合層の右側下段に配置された第４サブモジュールを含む、請求項１４に記載の表示装置。
【請求項１６】
前記第１振動モジュールの前記第１および第４サブモジュールの前記複数の第１部分の配列方向が、前記第１振動モジュールの前記第２および第３サブモジュールの前記複数の第１部分の配列方向と互いに異なる、請求項１５に記載の表示装置。
【請求項１７】
前記第１振動モジュールの前記第１および第３サブモジュールの前記複数の第１部分の配列方向が、前記第１振動モジュールの前記第２および第４サブモジュールの前記複数の第１部分の配列方向と互いに異なる、請求項１５に記載の表示装置。
【請求項１８】
前記第１振動モジュールの前記複数のサブモジュールの前記複数の第１部分の配列方向が、前記第２振動モジュールの前記複数のサブモジュールの前記複数の第１部分の配列方向と互いに異なる、請求項１２に記載の表示装置。
【請求項１９】
前記複数の振動モジュールが、
前記第１領域と重畳する第１振動モジュール、
前記第１振動モジュールと平面上で垂直方向に隣接する第２振動モジュール、
前記第２領域と重畳する第３振動モジュール、および
前記第３振動モジュールと平面上で垂直方向に隣接する第４振動モジュールを含む、請求項１１に記載の表示装置。
【請求項２０】
前記第１振動モジュールの前記複数のサブモジュールの前記複数の第１部分の配列方向が、前記第２振動モジュールの前記複数のサブモジュールの前記複数の第１部分の配列方向と互いに異なる、請求項１９に記載の表示装置。
【請求項２１】
前記第１〜第４振動モジュールのそれぞれが、
前記圧電複合層の左側上段に配置された第１サブモジュール、
前記圧電複合層の右側上段に配置された第２サブモジュール、
前記圧電複合層の左側下段に配置された第３サブモジュール、および
前記圧電複合層の右側下段に配置された第４サブモジュールを含む、請求項１９に記載の表示装置。
【請求項２２】
前記第１振動モジュールの前記第１および第３サブモジュールの前記複数の第１部分の配列方向が、前記第１振動モジュールの前記第２および第４サブモジュールの前記複数の第１部分の配列方向と互いに異なる、請求項２１に記載の表示装置。
【請求項２３】
前記複数の振動モジュールが、
前記第１領域と重畳する第１振動モジュール、
前記第１振動モジュールと平面上で水平方向に隣接する第２振動モジュール、
前記第２領域と重畳する第３振動モジュール、および
前記第３振動モジュールと平面上で水平方向に隣接する第４振動モジュールを含む、請求項１１に記載の表示装置。
【請求項２４】
前記第１〜第４振動モジュールのそれぞれが、
前記圧電複合層の左側上段に配置された第１サブモジュール、
前記圧電複合層の右側上段に配置された第２サブモジュール、
前記圧電複合層の左側下段に配置された第３サブモジュール、および
前記圧電複合層の右側下段に配置された第４サブモジュールを含む、請求項２３に記載の表示装置。
【請求項２５】
前記第１振動モジュールの前記第１および第３サブモジュールの前記複数の第１部分の配列方向が、前記第１振動モジュールの前記第２および第４サブモジュールの前記複数の第１部分の配列方向と互いに異なる、請求項２４に記載の表示装置。
【請求項２６】
前記複数の振動モジュールが、
前記第１領域と重畳する第１振動モジュール、
第２振動モジュール、
前記第２領域と重畳する第３振動モジュール、および
第４振動モジュールを含み、
前記第２〜第４振動モジュールのそれぞれと前記表示パネルの間に介在するプレートをさらに含む、請求項１１に記載の表示装置。
【発明の詳細な説明】
【技術分野】
【０００１】
本出願は、表示装置に関するものである。
【背景技術】
【０００２】
一般的に、表示装置は、テレビ、モニター、ノートパソコン、スマートフォン、タブレットコンピュータ、電子パッド、ウェアラブル機器、スマートウォッチ、携帯情報機器、ナビゲーション、または車両制御表示機器などの電子製品や家電製品に搭載して映像を表示する画面に用いられる。
【０００３】
一般的な表示装置は、映像を表示する表示パネル、およびビデオに関する音響を出力する音響装置を含むことができる。しかし、一般的な表示装置は、音響装置から出力される音響が表示装置の後方または下方に進行するので、壁や床から反射する音響間の干渉により音質が低下し、これにより、正確な音響伝達が難しいという問題点があり、視聴者が聞き入るのを妨げるという問題がある。
【０００４】
例えば、音響装置は、マグネットとコイルを含むアクチュエータであり得る。しかし、アクチュエータを含む音響装置を表示装置に適用する場合、表示装置の厚さが厚くなるという短所がある。そのため薄い厚さを実現することができる圧電素子が注目されている。
【０００５】
圧電素子は、脆性特性により外部からの衝撃によって容易に破損が発生するので、音響再生の信頼性が低いという問題点がある。
【発明の概要】
【発明が解決しようとする課題】
【０００６】
本出願は、振動モジュールの複数のサブモジュールのそれぞれの複数の第１部分の配列方向を同一に配置したり、一部を異なるように配置することで、再生周波数帯域を拡張して、音圧の平坦特性を改善することができる表示装置を提供することを解決しようとする課題とする。
【０００７】
そして、本出願は、振動モジュールの複数のサブモジュールのそれぞれの圧電物質の配列方向と振動板に作用する表示パネルの構造に依存する圧電特性を利用して、最低再生周波数を減少させ、低音域帯の音圧を改善し、再生周波数帯域を拡張することができる表示装置を提供することを解決しようとする課題とする。
【０００８】
そして、本出願は、複数の振動モジュールの一部の振動モジュールと表示パネル間にプレートを配置することで、複数の振動モジュールそれぞれの共振周波数が異なるようにして音圧の平坦特性を改善することができる表示装置を提供することを解決しようとする課題とする。
【課題を解決するための手段】
【０００９】
本出願による表示装置は、圧電特性を有する複数の第１部分、および複数の第１部分の間に配置されてフレキシビリティを有する複数の第２部分を含む複数のサブモジュールを備えた振動モジュールを含む。そして、複数のサブモジュールのそれぞれの複数の第１部分の配列方向はすべて同じか、または一部が異なる。
【００１０】
本出願による表示装置は、表示パネルの第１領域および第２領域のそれぞれを振動させる複数の振動モジュールを含む。複数の振動モジュールのそれぞれは、複数のサブモジュールを有する圧電複合層を含み、複数のサブモジュールのそれぞれは、圧電特性を有する複数の第１部分、および複数の第１部分の間に配置された複数の第２部分を含む。そして、複数のサブモジュールのそれぞれの複数の第１部分の配列方向は同じか、または一部が異なる。
【００１１】
その他の例具体的な事項は、詳細な説明および図に含まれている。
【発明の効果】
【００１２】
前記課題の解決手段によれば、本出願による表示装置は、振動モジュールの複数のサブモジュールのそれぞれの複数の第１部分の配列方向を同一に配置したり、一部が異なるように配置することで、再生周波数帯域を拡張して、音圧の平坦特性を改善することができる。
【００１３】
そして、本出願による表示装置は、振動モジュールの複数のサブモジュールのそれぞれの圧電物質の配列方向と振動板に作用する表示パネルの構造によって異なる圧電特性を利用して、最低再生周波数を減少させ、低音域帯の音圧を改善し、再生周波数帯域を拡張することができる。
【００１４】
そして、本出願による表示装置は、複数の振動モジュールの一部の振動モジュールと表示パネルの間にプレートを配置することで、複数の振動モジュールのそれぞれの共振周波数が異なるようにして音圧の平坦特性を改善することができる。
【００１５】
上述した本出願の効果の他に、本出願の他の特徴および利点は、以下の記述や、そのような記述および説明から、本出願が属する技術分野で通常の知識を有する者に明確に理解されるであろう。
【図面の簡単な説明】
【００１６】
【図１】本出願の一例による表示装置を示す斜視図である。
【図２】本出願の一例による表示装置を示す背面図である。
【図３】図２の切断線Ｉ−Ｉ’に沿って切断した断面図である。
【図４】本出願の一例による表示装置の振動モジュールの断面図である。
【図５】図４の振動モジュールの圧電複合層を示す図である。
【図６】本出願の一例による表示装置で、振動モジュールの第１実施例を示す平面図である。
【図７】図６の振動モジュールを示す分解斜視図である。
【図８】本出願の一例による表示装置で、振動モジュールの第２実施例を示す平面図である。
【図９】本出願の一例による表示装置で、振動モジュールの第３実施例を示す平面図である。
【図１０】本出願の一例による表示装置で、振動モジュールの第４実施例を示す平面図である。
【図１１】本出願の一例による表示装置で、振動モジュールの第５実施例を示す平面図である。
【図１２】図６に示した振動モジュールが付着した振動板を示す図である。
【図１３】図８に示した振動モジュールが付着した振動板を示す図である。
【図１４】図１２および図１３に示した振動板の音圧レベルを示すグラフである。
【図１５】図６に示した振動モジュールが付着した表示装置を示す図である。
【図１６】図１５の表示装置で、振動モジュールを追加で付着した表示装置を示す図である。
【図１７】図１５および図１６に示した表示装置の音圧レベルを示すグラフである。
【図１８】本出願の一例による表示装置で、振動モジュールの第６実施例を示す平面図である。
【図１９】本出願の一例による表示装置で、振動モジュールの第７実施例を示す平面図である。
【図２０】本出願の一例による表示装置で、振動モジュールの第８実施例を示す平面図である。
【図２１】本出願の一例による表示装置で、振動モジュールの第９実施例を示す平面図である。
【図２２】本出願の一例による表示装置で、振動モジュールの第１０実施例を示す平面図である。
【図２３】図１８に示した振動モジュールのプレートの構成による音圧レベルを示すグラフである。
【図２４】本出願の他の例による表示装置で、複数の振動モジュールの第１実施例を示す平面図である。
【図２５】本出願の他の例による表示装置で、複数の振動モジュールの第２実施例を示す平面図である。
【図２６】図２４および図２５に示した表示装置の音圧レベルを示すグラフである。
【図２７】本出願の他の例による表示装置で、複数の振動モジュールの第３実施例を示す平面図である。
【図２８】本出願の他の例による表示装置で、複数の振動モジュールの第４実施例を示す平面図である。
【図２９】本出願の他の例による表示装置で、複数の振動モジュールの第５実施例を示す平面図である。
【図３０】本出願の他の例による表示装置で、複数の振動モジュールの第６実施例を示す平面図である。
【図３１】図２７および図２８に示した表示装置の音圧レベルを示すグラフである。
【図３２】図２９および図３０に示した表示装置の音圧レベルを示すグラフである。
【図３３】本出願の他の例による表示装置で、複数の振動モジュールの第７実施例を示す平面図である。
【図３４】本出願の他の例による表示装置で、複数の振動モジュールの第８実施例を示す平面図である。
【図３５】本出願の他の例による表示装置で、複数の振動モジュールの第９実施例を示す平面図である。
【図３６】本出願の他の例による表示装置で、複数の振動モジュールの第１０実施例を示す平面図である。
【図３７】本出願の他の例による表示装置で、複数の振動モジュールの第１１実施例を示す平面図である。
【図３８】本出願の他の例による表示装置で、複数の振動モジュールの第１２実施例を示す平面図である。
【発明を実施するための形態】
【００１７】
本出願の利点および特徴、そしてそれらを達成する方法は、添付する図と共に詳細に後述されている例を参照すると明確になるだろう。しかし、本発明は、以下で開示される例に限定されるものではなく、異なる多様な形態で具現されるものであり、単に本例は、本発明の開示を完全にし、本発明が属する技術分野で通常の知識を有する者に発明の範疇を完全に知らせるために提供されるものであり、本発明は、請求項の範疇によってのみ定義される。
【００１８】
本出願の例を説明するために図で開示した形状、大きさ、比率、角度、数などは例示的なものなので、本出願が示した事項に限定されるものではない。明細書全体にわたって同一参照符号は同一の構成要素を指す。また、本出願を説明するにおいて、関連する公知技術に対する詳細な説明が本出願の要旨を不必要に曖昧にすると判断された場合、その詳細な説明は省略する。
【００１９】
本出願で言及した「含む」、「有する」、「からなる」などが使用されている場合は、「〜だけ」が使用されていない限り、他の部分が追加され得る。構成要素を単数で表現した場合に、特に明示的な記載事項がない限り、複数が含まれる場合を含む。
【００２０】
構成要素を解釈するに当たり、別途の明示的な記載がなくても誤差の範囲を含むものと解釈する。
【００２１】
位置関係の説明である場合には、例えば、「〜の上に」、「〜の上部に」、「〜の下部に」、「〜の隣に」などで、２つの部分の位置関係が説明されている場合は、「すぐに」または「直接」が使用されていない限り、二つの部分の間に１つ以上の他の部分が位置することもできる。
【００２２】
時間の関係についての説明である場合には、例えば、「〜の後」、「〜に続いて」、「〜次の」、「〜前に」などで時間的前後関係が説明されている場合は、「すぐに」または「直接」が使用されていない限り、連続していない場合も含むことができる。
【００２３】
第１、第２などが多様な構成要素を記述するために使用されるが、これらの構成要素はこれらの用語によって制限されない。これらの用語は、ただ一つの構成要素を他の構成要素と区別するために使用されるものである。したがって、以下に記載されている第１の構成要素は、本出願の技術的思想内で第２の構成要素であることもある。
【００２４】
本出願の構成要素を説明するにあたって、第１、第２、Ａ、Ｂ、（ａ）、（ｂ）などの用語を使用することができる。これらの用語は、その構成要素を他の構成要素と区別するためのもので、その用語によって、その構成要素の本質、順序、順番または個数などが限定されない。一構成要素が他の構成要素に「連結」、「結合」または「接続」すると記載されている場合、その構成要素は、その他の構成要素に直接に連結したり、または接続することができるが、特に明示的な記載事項がない限り間接接続したり、又は接続することができる各構成要素の間に他の構成要素が「介在」することができると理解されなければならない。
【００２５】
「少なくとも一つ」は、関連する構成要素の一つ以上のすべての組み合わせを含むものと理解されなければならない。例えば、「第１、第２、および第３構成要素の少なくとも一つ」の意味は、第１、第２、または第３構成要素だけではなく、第１、第２、および第３構成要素の二つ以上のすべての構成要素の組み合わせを含むものとすることができる。
【００２６】
本出願で、「表示装置」は、表示パネルおよび表示パネルを駆動するための駆動部を含む液晶モジュール（Ｌｉｑｕｉｄ  Ｃｒｙｓｔａｌ  Ｍｏｄｕｌｅ；  ＬＣＭ）または有機発光表示モジュール（Ｏｒｇａｎｉｃ  Ｌｉｇｈｔ  Ｅｍｉｔｔｉｎｇ  Ｄｉｓｐｌａｙ  Ｍｏｄｕｌｅ；  ＯＬＥＤ  Ｍｏｄｕｌｅ）などを含むことができる。そして、本出願で「表示装置」は、ＬＣＭ、ＯＬＥＤモジュールなどを含む完成品（Ｃｏｍｐｌｅｔｅ  ＰｒｏｄｕｃｔまたはＦｉｎａｌ  Ｐｒｏｄｕｃｔ）であるラップトップコンピュータ、テレビ、コンピュータモニタ、自動車用装置（Ａｕｔｏｍｏｔｉｖｅ  Ａｐｐａｒａｔｕｓ）または車両（Ｖｅｈｉｃｌｅ）の他の形態などを含む設備機器（Ｅｑｕｉｐｍｅｎｔ  Ａｐｐａｒａｔｕｓ）、スマートフォンや電子パッドなどのモバイル電子機器（Ｍｏｂｉｌｅ  Ｅｌｅｃｔｒｏｎｉｃ  Ａｐｐａｒａｔｕｓ）などのセット電子装置（Ｓｅｔ  Ｅｌｅｃｔｒｏｎｉｃ  Ａｐｐａｒａｔｕｓ）またはセット装置（Ｓｅｔ  ＤｅｖｉｃｅまたはＳｅｔ  Ａｐｐａｒａｔｕｓ）も含むことができる。
【００２７】
本出願に用いられる表示パネルは、液晶表示パネル、有機電界発光（ＯＬＥＤ：Ｏｒｇａｎｉｃ  Ｌｉｇｈｔ  Ｅｍｉｔｔｉｎｇ  Ｄｉｏｄｅ）表示パネル、および電界発光表示パネル（Ｅｌｅｃｔｒｏｌｕｍｉｎｅｓｃｅｎｔ  Ｄｉｓｐｌａｙ  Ｐａｎｅｌ）などのすべての形態の表示パネルを用いることができ、本例の音響発生装置によって振動することによって音響を発生させることができる特定の表示パネルに限定されるものではない。そして、本発明の例による表示装置に用いられる表示パネルは、表示パネルの形態や大きさに限定されない。
【００２８】
例えば、表示パネルが液晶表示パネルである場合には、多数のゲートラインとデータライン、およびゲートラインとデータラインの交差領域に形成されるピクセル（Ｐｉｘｅｌ）を含む。そして、各ピクセルでの光透過度を調節するためのスイッチング素子である薄膜トランジスタを含むアレイ基板と、カラーフィルタおよび／またはブラックマトリックスなどを備えた上部基板と、アレイ基板と上部基板との間に形成される液晶層を含むことができる。
【００２９】
また、表示パネルが有機電界発光（ＯＬＥＤ）表示パネルである場合には、多数のゲートラインとデータライン、およびゲートラインとデータラインの交差領域に形成されるピクセル（Ｐｉｘｅｌ）を含むことができる。そして、各ピクセルに選択的に電圧を印加するための素子である薄膜トランジスタを含むアレイ基板と、アレイ基板上の有機発光素子（ＯＬＥＤ）の層、および有機発光素子層を覆うようにアレイ基板上に配置される封止基板またはカプセル化（Ｅｎｃａｐｓｕｌａｔｉｏｎ）基板などを含んで構成することができる。封止基板は、外部の衝撃から薄膜トランジスタと有機発光素子層などを保護し、有機発光素子層に水分や酸素が侵入することを防止することができる。そして、アレイ基板上に形成される層は、無機発光層（Ｉｎｏｒｇａｎｉｃ  Ｌｉｇｈｔ  Ｅｍｉｔｔｉｎｇ  Ｌａｙｅｒ）、例えば、ナノサイズの物質層（Ｎａｎｏ−ｓｉｚｅｄ  Ｍａｔｅｒｉａｌ  Ｌａｙｅｒ）または量子ドット（Ｑｕａｎｔｕｍ  Ｄｏｔ）などを含むことができる。他の例としては、マイクロ発光ダイオードを含むことができる。
【００３０】
本出願のいくつかの例のそれぞれの特徴が部分的または全体的に互いに結合または組み合わせ可能で、技術的に様々な連動および駆動が可能であり、それぞれの例が互いに独立して実施可能であり得、関連の関係で一緒に実施することもできる。
【００３１】
以下では、本出願による表示装置の例を添付した図を参照して詳細に説明する。各図の構成要素に参照符号を付加するにおいて、同一の構成要素に対しては、たとえ他の図上に表示されていても、可能な限り同一の符号を有することができる。そして、添付した図に示された構成要素のスケールは説明の便宜上、実際と異なるスケールを有するので、図に示されたスケールに限定されない。
【００３２】
図１は、本出願の一例による表示装置を示す斜視図であり、図２は、本出願の一例による表示装置を示す背面図であり、図３は、図２の切断線Ｉ−Ｉ’に沿って切断した断面図である。
【００３３】
図１〜図３を参照すると、表示装置１０は、表示パネル１００、振動モジュール２００、構造物３００、固定部材４００、およびパーティション５００を含む。
【００３４】
表示パネル１００は、映像を表示しながら、少なくとも一つの振動モジュール２００の駆動に応じて振動して音響（ＳＷ）を前方（ＦＤ）に直接出力することができる。また、表示パネル１００は、映像を表示していない状態で、少なくとも一つの振動モジュール２００の駆動に応じて振動して音響（ＳＷ）を前方（ＦＤ）に直接出力することができる。したがって、表示パネル１００は、音響（ＳＷ）を直接発生させる振動板やスピーカーの機能を実行することができる。例えば、表示パネル１００が音響（ＳＷ）を出力するとき、表示パネル１００は、音響（ＳＷ）を直接発生させる振動板、パネルスピーカー、またはフラットスピーカーであり得る。したがって、表示パネル１００は、映像の表示と音響（ＳＷ）の発生を兼ねることができる。
【００３５】
表示パネル１００は、液晶表示パネル、有機発光表示パネル、量子ドット発光表示パネル、マイクロ発光ダイオード表示パネル、および電気泳動表示パネルなど、あらゆる形態の表示パネルや曲面型表示パネルであり得る。例えば、本出願による表示パネル１００は、振動モジュール２００によって振動することにより音波（または音響）を出力したり、タッチに反応するハプティックフィードバックを発生することができ、特定の表示パネルに限定されない。
【００３６】
表示パネル１００は、基板（またはベース基板）上に配置されたピクセル回路、およびピクセル回路に接続してアノード電極、カソード電極、および発光層を有するピクセルアレイ層（または表示部）を含むことができる。表示パネル１００は、ピクセルアレイ層の構造によって、トップエミッション（Ｔｏｐ  Ｅｍｉｓｓｉｏｎ）方式、ボトムエミッション（Ｂｏｔｔｏｍ  Ｅｍｉｓｓｉｏｎ）方式、またはデュアルエミッション（Ｄｕａｌ  Ｅｍｉｓｓｉｏｎ）方式などの形態で映像を表示することができる。この場合、アノード電極は、第１電極またはピクセル電極などと表現することもあり、用語に限定されるものではない。そして、カソード電極は第２電極または共通電極などと表現することができ、用語に限定されるものではない。
【００３７】
ここでは、トップエミッション方式は、ピクセルアレイ層で発生した光を表示パネル１００の基板の前方（ＦＤ）（または表示装置の背方）に放出して映像を表示することができ、ボトムエミッション方式は、ピクセルアレイ層で発生した光を基板の後方（または表示装置の前方）を介して外部に放出して映像を表示することができる。
【００３８】
一例によると、表示装置１０は、透明粘着部材を媒介として表示パネル１００上に付着する機能性フィルム（未図示）をさらに含むことができる。ここで、透明粘着部材はＰＳＡ（Ｐｒｅｓｓｕｒｅ  Ｓｅｎｓｉｔｉｖｅ  Ａｄｈｅｓｉｖｅ）、ＯＣＡ（Ｏｐｔｉｃａｌ  Ｃｌｅａｒ  Ａｄｈｅｓｉｖｅ）またはＯＣＲ（Ｏｐｔｉｃａｌ  Ｃｌｅａｒ  Ｒｅｓｉｎ）を含むことができ、これに限定されるものではない。
【００３９】
一例によると、機能性フィルムは、外部光の反射を防止して表示パネル１００に表示される映像の屋外視認性およびコントラスト比を向上させるための反射防止層（または反射防止フィルム）を含むことができる。例えば、反射防止層は、外部光が表示パネル１００のピクセルアレイ層に配置された薄膜トランジスタおよび／またはラインなどによって反射する反射光が外部に進行することを遮断する円偏光層（または円偏光フィルム）を含むことができる。
【００４０】
一例によると、機能性フィルムは、表示パネル１００のピクセルアレイ層から外部に向かって出光する光の経路を制御する光経路制御層（または光経路制御フィルム）をさらに含むことができる。光経路制御層は、高屈折層と低屈折層が交互に積層した構造を含むことにより、ピクセルアレイ層から入射する光の経路を変更して、視野角による色のシフト現象を最小限に抑えることができ、ここで、その屈折層は、光経路制御層の最上層に配置することができる。
【００４１】
振動モジュール２００は、表示パネル１００の背面に配置して表示パネル１００を振動させることができる。一例によると、振動モジュール２００は、圧電特性を有しながら、比較的高い柔軟性（Ｆｌｅｘｉｂｉｌｉｔｙ）を有する薄膜のフィルム状で具現することができる。例えば、振動モジュール２００は、表示パネル１００よりも薄い厚さを有することができるので、振動モジュール２００によって表示パネル１００の厚さが過度に増加し得ない。振動モジュール２００は、表示パネル１００を振動板として使用する音響発生モジュール、音響発生装置、フィルムアクチュエータ、フィルム型圧電複合体アクチュエータ、フィルムスピーカー、フィルム型圧電スピーカー、またはフィルム型圧電複合体スピーカーなどで表現することができるが、これらの用語に限定されるものではない。
【００４２】
振動モジュール２００は、様々な周波数を有する音響信号によって振動して固有振動数（または固有振動数）を有する表示パネル１００を振動させることができる。例えば、振動モジュール２００は、表示パネル１００に表示される映像と同期している音響信号によって振動して表示パネル１００を振動させることができ、表示パネル１００の振動に基づいて発生する音響は、入力信号の周波数と表示装置１０の固有周波数が一致するほど、音圧特性（Ｓｏｕｎｄ  Ｐｒｅｓｓｕｒｅ  Ｌｅｖｅｌ  Ｃｈａｒａｃｔｅｒｉｓｔｉｃ；  ＳＰＬ  Ｃｈａｒａｃｔｅｒｉｓｔｉｃ）が増加して再生音域帯域が拡大され得る。別の例では、振動モジュール２００は、表示パネル１００に配置されたタッチパネルに対する使用者のタッチに同期するハプティックフィードバック信号（または触覚フィードバック信号）に基づいて振動して表示パネル１００を振動させることができる。これにより、表示パネル１００は、振動モジュール２００の振動によって振動して音響および触覚フィードバックのうちの少なくとも一つを使用者（または視聴者）に提供することができる。
【００４３】
振動モジュール２００は、複数の第１部分２０１および複数の第２部分２０２を含むことができる。
【００４４】
複数の第１部分２０１のそれぞれは、無機物質部からなり得る。無機物質部は、電気活性物質（Ｅｌｅｃｔｒｏ  Ａｃｔｉｖｅ  Ｍａｔｅｒｉａｌ）を含むことができる。電気活性物質は、外力によって結晶構造に圧力またはねじれ現象が作用しながら陽イオンと陰（−）イオンの相対的な位置の変化に伴う誘電分極によって電位差が発生し、逆に印加される電圧による電界によって振動が発生する特性を有する。
【００４５】
複数の第２部分２０２のそれぞれは、複数の第１部分２０１との間に配置され得る。複数の第１部分２０１および、複数の第２部分２０２のそれぞれは、同一平面（または同一層）で並んで配置（または配列）され得る。複数の第２部分２０２のそれぞれは、隣接する２つの第１部分２０１間のギャップを埋めるように構成することにより、隣接する第１部分２０１と接続したり接着することができる。これにより、振動モジュール２００は、第２部分２０２によって第１部分２０１の単位格子内のリンクによる振動エネルギーが増加し得るので、圧電特性とフレキシビリティ（Ｆｌｅｘｉｂｉｌｉｔｙ）が改善され得る。また、振動モジュール２００は、第１方向（Ｘ）に沿って第１部分２０１と第２部分２０２が同一平面上で交互に配置されることで、単一層構造を有する大面積複合体フィルム（または有無機複合体フィルム）を構成することができ、大面積複合体フィルムは、複数の第２部分２０２によって、柔軟性を有することができる。
【００４６】
一例によると、複数の第２部分２０２のそれぞれは、有機物質部からなり得、第１部分２０１の無機物質部間を埋めることができる。有機物質部は、無機物質部の間毎に配置されることによって無機物質部（または第１部分）に印加される衝撃を吸収することができ、無機物質部に集中するストレスを緩和（Ｒｅｌｅａｓｉｎｇ）させることで振動モジュール２００全体の耐久性を向上させることができ、また、振動モジュール２００に柔軟性を提供することができる。
【００４７】
別の例では、複数の第１部分２０１は、有機物質部からなり得、複数の第２部分２０２は、無機物質部からなり得る。
【００４８】
このように、本出願による表示装置の振動モジュール２００は、無機物質部（第１部分）および有機物質部（第２部分）が同一層に配置されることによって、無機物質部に伝達される衝撃が有機物質部によって吸収され得、これにより、外部からの表示装置に加わる衝撃による無機物質部の破損および破損による振動性能低下（または音響性能の低下）を最小化したり防止することができる。
【００４９】
また、本出願による表示装置の振動モジュール２００は、圧電特性を確保するために、圧電セラミックと、圧電セラミックの耐衝撃性を補完して柔軟性を実現するために、圧電セラミック内に配置される高分子などの物質を含むことができる。一例によると、振動モジュール２００は、ペロブスカイト（Ｐｅｒｏｖｓｋｉｔｅ）結晶構造を有する圧電セラミックスを含むことにより、外部から印加された音響信号に応答して振動（または機械的変位）することができる。例えば、振動モジュール２００は、無機物質部（第１部分）に交流電圧が印加されると、無機物質が逆圧電効果により収縮と膨張を交互に繰り返すことにより、曲げ方向が交互に変わる曲げ現象によって振動することができ、このような振動を通じて表示パネル１００を振動させることによって、音響または触覚フィードバックを使用者に提供することができる。
【００５０】
一例によると、振動モジュール２００は、接着部材１５０（またはモジュール接着部材）を媒介にして表示パネル１００の一面に接着することができる。接着部材１５０は、表示パネル１００の背面と振動モジュール２００の間に介在することができる。例えば、接着部材１５０は、表示パネル１００の背面と振動モジュール２００のそれぞれと密着力および接着力に優れた接着層を含む両面テープまたは接着剤であり得る。また、接着部材１５０の接着層は、エポキシ（Ｅｐｏｘｙ）、アクリル（Ａｃｒｙｌ）、シリコン（Ｓｉｌｉｃｏｎ）、またはウレタン（Ｕｒｅｔｈａｎｅ）を含むことができる。接着部材１５０の接着層は、粘着付与剤、ワックス成分、または酸化防止剤などの添加剤をさらに含むことができ、このような添加剤は、振動モジュール２００の振動により表示パネル１００から接着部材１５０が落ちること（または剥離）を防止することができる。また、粘着付与剤は、ロジン誘導体などであり得、ワックス成分はパラフィンワックス（Ｐａｒａｆｆｉｎ  Ｗａｘ）などであり得、酸化防止剤は、チオエステル（Ｔｈｉｏｌｅｓｔｅｒ）などのフェノール系酸化防止剤であり得るが、これに限定されるわけではない。
【００５１】
一例によると、複数の第２部分２０２に対する接着部材１５０の接着力は、複数の第１部分２０１に対する接着部材１５０の接着力よりも大きいことがあり得る。したがって、接着部材１５０は、振動モジュール２００または表示パネル１００が曲がった場合、表示パネル１００と振動モジュール２００間の接着力を強化させることができる。このような接着の違いは、振動モジュール２００の振動によって接着部材１５０が表示パネル１００から分離することを防止することができる。
【００５２】
別の例によると、接着部材１５０は、表示パネル１００と振動モジュール２００間に設けられた中空部をさらに含むことができる。接着部材１５０の中空部は、表示パネル１００と振動モジュール２００間にエアギャップを設けることができる。エアギャップは、振動モジュール２００の振動による音波（または音圧）を表示パネル１００に集中させることにより接着部材１５０による振動の損失を最小化し、表示パネル１００の振動によって発生する音響の音圧特性を増加させることができる。
【００５３】
構造物３００は、第１カバー部３１０、第２カバー部３３０、および第３カバー部３５０を含むことができる。
【００５４】
第１カバー部３１０は、ギャップ空間（ＧＳ）を間に置いて表示パネル１００の第１面全体（例えば、背面全体）を覆うことができる。例えば、第１カバー部３１０は、支持部材、ハウジング、システムカバー、セットカバー、バックカバー、カバーボトム、リアフレーム、またはシャーシなどで表現することができ、用語に限定されるものではない。また、表示パネル１００の背面は、一面、第１面、背面、または下面などで表現することができ、用語に限定されるものではない。
【００５５】
第２カバー部３３０は、第１カバー部３１０の端に接続され、表示パネル１００の第２面全体（例えば、側面全体）を覆うことができる。一例によると、第２カバー部３３０は、第１カバー部３１０と結合する別途のミドルフレームで具現することもできる。この場合、ミドルフレームで具現された第２カバー部３３０は、第１カバー部３１０の側面と表示パネル１００の側面のすべてを覆うことができる。例えば、ミドルフレームで具現された第２カバー部３３０は、第１カバー部３１０と同じ材質で構成されたり、異なる材質からなることもできる。
【００５６】
第３カバー部３５０は、表示パネル１００の非表示領域を覆うことができる。一例によると、第３カバー部３５０は、表示パネル１００の表示領域（ＡＡ）と重畳する開口部を有するフレーム形状を有することができる。例えば、第３カバー部３５０は、第１カバー部３１０またはミドルフレームと結合して表示パネル１００の非表示領域をカバーすることで表示パネル１００を支持したり、固定することができる。第３カバー部３５０は、表示パネル１００の前面の端に配置されて、使用者（または視聴者）に直接露出するので、表示装置のデザイン的な外観美感を低下させ、表示装置のベゼル幅を増加させ得る。このような問題点を解決するために、本出願は、固定部材４００を介して表示パネル１００を第１カバー部３１０に結合させ、これにより、第３カバー部３５０を省略（または削除）することにより、表示装置のベゼル幅を減少させて表示装置のデザイン的な外観美感を向上させることができる。
【００５７】
ただし、これに限らず、構造物３００は、第１カバー部３１０、第２カバー部３３０、および第３カバー部３５０を一体に構成することができる。
【００５８】
固定部材４００は、第１カバー部３１０と第２カバー部３３０を表示パネル１００の端と結合することができる。例えば、固定部材４００は、表示パネル１００の背面側の端と、第１カバー部３１０の端の間に配置して表示パネル１００と、第１カバー部３１０を接着させることができる。一例によると、固定部材４００は、両面テープ（Ｄｏｕｂｌｅ−ｓｉｄｅｄ  Ｔａｐｅ）、単面テープ（Ｓｉｎｇｌｅ−ｓｉｄｅｄ  Ｔａｐｅ）、または両面接着フォームパッドで具現され得るが、これに限定されるものではない。
【００５９】
パーティション５００は、表示パネル１００と第１カバー部３１０間に介在して、振動モジュール２００を離隔するように囲むことができる。パーティション５００は、振動モジュール２００によって発生し、表示パネル１００と反対方向に進行する音響を遮断することができる。これにより、パーティション５００は、振動モジュール２００によって発生した振動を表示パネル１００に集中させることができる。
【００６０】
たとえば、パーティション５００は、ポリウレタン（Ｐｏｌｙｕｒｅｔｈａｎｅ）またはポリオレフィン（Ｐｏｌｙｏｌｅｆｉｎ）材質で構成することができるが、これに限定されるものではない。別の例では、パーティション５００は、一面テープまたは両面テープなどで構成することができ、所定の弾性を有する材質で構成され得る。
【００６１】
図４は、本出願の一例による表示装置の振動モジュールの断面図であり、図５は、図４の振動モジュールの圧電複合層を示す図である。
【００６２】
図４および図５を参照すると、振動モジュール２００は、フレキシビリティ（Ｆｌｅｘｉｂｉｌｉｔｙ）を有することで音響信号によって曲がって振動することができる。例えば、振動モジュール２００は、表示パネル１００に表示される映像と同期する音響信号によって振動して表示パネル１００を振動させることができる。別の例では、振動モジュール２００は、表示パネル１００上に配置したり、または表示パネル１００に内蔵されたタッチパネル（またはタッチセンサー層）に対する使用者のタッチに同期したハプティックフィードバック信号（または触覚フィードバック信号）によって振動して表示パネル１００を振動させることができる。これにより、表示パネル１００は、振動モジュール２００の振動によって振動して音響および触覚フィードバックのうちの少なくとも一つを使用者（または視聴者）に提供することができる。
【００６３】
振動モジュール２００は、圧電複合層（ＰＣＬ）、第１電極層２０３、および第２電極層２０４を含むことができる。
【００６４】
圧電複合層（ＰＣＬ）は、複数の第１部分２０１と複数の第２部分２０２を含むことができる。一例によると、複数の第１部分２０１のそれぞれは、所定の第１長さ（ｄ１）を有するラインパターン（Ｌｉｎｅ  Ｐａｔｔｅｒｎ）であり得、第１方向（Ｘ）に沿って所定の第２長さ（ｄ２）（または間隔）を有するように互いに離隔して、第１方向（Ｘ）と交差する第２方向（Ｙ）に並んで配置され得る。
【００６５】
一例によると、複数の第１部分２０１のそれぞれの第１長さ（ｄ１）と、複数の第２部分２０２のそれぞれの第２長さ（ｄ２）は、圧電複合層（ＰＣＬ）の位置によって異なり得る。例えば、複数の第２部分２０２のそれぞれの第２長さ（ｄ２）は、圧電複合層（ＰＣＬ）の中央部から圧電複合層（ＰＣＬ）の端に行くほど減少することができる。
【００６６】
例えば、複数の第１部分２０１のそれぞれの第１長さ（ｄ１）が増加するほど圧電複合層（ＰＣＬ）内の複数の第１部分２０１の割合が増加し得、複数の第２部分２０２のそれぞれの第２長さ（ｄ２）が増加するほど圧電複合層（ＰＣＬ）内の複数の第１部分２０１の割合が減少し得る。そして、複数の第１部分２０１のそれぞれの第１長さ（ｄ１）が増加するほど振動モジュール２００の音圧特性が向上し得、複数の第２部分２０２のそれぞれの第２長さ（ｄ２）が増加するほど振動モジュール２００のフレキシビリティが向上し得る。
【００６７】
一例によると、複数の第１部分２０１のそれぞれは、製造工程で発生する工程誤差（または許容誤差）の範囲内ですべて同じサイズ、例えば幅、面積、または体積を有することができる。別の例によると、複数の第１部分２０１のそれぞれは、互いに異なるサイズ、例えば、広さ、面積、または体積を有することができる。
【００６８】
一例によると、複数の第１部分２０１のそれぞれは、電界による圧電効果（Ｐｉｅｚｏｅｌｅｃｔｒｉｃ  Ｅｆｆｅｃｔ）（または圧電特性）によって振動する無機物質または圧電物質を含むことができる。例えば、複数の第１部分２０１のそれぞれは、電気活性部、無機物質部、圧電物質部、または振動部などで表現することができるが、これに限定されるものではない。
【００６９】
一例によると、複数の第１部分２０１のそれぞれは、電気活性物質を含むことができる。電気活性物質は、外力によって結晶構造に圧力またはねじれ現象が作用しながら陽イオンと陰（−）イオンの相対的な位置の変化に伴う誘電分極によって電位差が発生し、逆に印加される電圧による電界によって振動が発生する特性を有する。
【００７０】
例えば、複数の第１部分２０１のそれぞれに構成されている無機物質部は、鉛（Ｐｂ）、ジルコニウム（Ｚｒ）、チタン（Ｔｉ）、亜鉛（Ｚｎ）、ニッケル（Ｎｉ）、およびニオブ（Ｎｂ）のうち、１種以上を含むことができ、これに限定されるものではない。
【００７１】
別の例では、複数の第１部分２０１のそれぞれに構成されている無機物質部は、鉛（Ｐｂ）、ジルコニウム（Ｚｒ）、およびチタン（Ｔｉ）を含むＰＺＴ（ｌｅａｄ  ｚｉｒｃｏｎａｔｅ  ｔｉｔａｎａｔｅ）系物質、または鉛（Ｐｂ）、亜鉛（Ｚｎ）、ニッケル（Ｎｉ）、およびニオブ（Ｎｂ）を含むＰＺＮＮ（ｌｅａｄ  ｚｉｒｃｏｎａｔｅ  ｎｉｃｋｅｌ  ｎｉｏｂａｔｅ）系物質を含むことができ、これに限定されるものではない。また、無機物質部は、鉛（Ｐｂ）を含まないＣａＴｉＯ３、ＢａＴｉＯ３、およびＳｒＴｉＯ３のうちの少なくとも一つを含むことができるが、これに限定されるものではない。
【００７２】
複数の第２部分２０２のそれぞれは、複数の第１部分２０１の間に配置され得る。複数の第１部分２０１と複数の第２部分２０２のそれぞれは、同一平面（または同一層）に互いに並んで配置され得る。複数の第２部分２０２のそれぞれは、隣接する２つの第１部分２０１間のギャップを埋めるように構成することにより、隣接する第１部分２０１と接続したり接着したりすることができる。例えば、複数の第２部分２０２のそれぞれは、所定の第２長さ（ｄ２）を有するラインパターンであり得、第１部分２０１の間に互いに並んで配置され得る。一例によると、複数の第２部分２０２のそれぞれは、製造工程で発生する工程誤差（または許容誤差）の範囲内ですべて同じサイズ、例えば幅、面積、または体積を有することができる。別の例によると、複数の第２部分２０２のそれぞれは、互いに異なるサイズ、例えば、広さ、面積、または体積を有することができる。
【００７３】
本出願による表示装置１０の振動モジュール２００は、無機物質部（第１部分）および有機物質部（第２部分）が同一層に配置されることにより、表示装置に対する外部からの衝撃を有機物質部を介して吸収することができ、これにより、無機物質部の破損および破損による振動性能低下（または音響性能の低下）を最小化したり防止したりすることができる。
【００７４】
第２部分２０２は、第１部分２０１と互いに同一かまたは異なり得る。例えば、第１部分２０１と第２部分２０２のそれぞれの大きさは、振動モジュール２００の振動特性および／または柔軟性などの要求条件によって設定され得る。
【００７５】
複数の第２部分２０２のそれぞれに構成される有機物質部は、第１部分２０１の無機物質部と比較して柔軟な特性を有する有機物質または有機ポリマー（Ｐｏｌｙｍｅｒ）で構成され得る。例えば、複数の第２部分２０２のそれぞれは、有機物質、有機ポリマー、有機圧電物質、または有機非圧電物質を含むことができる。例えば、複数の第２部分２０２のそれぞれは、フレキシビリティを有する接着部、伸縮部、曲げ部、ダンピング部、または延性部などで表現することができるが、これに限定されるものではない。有機物質部は、無機物質部の間毎に配置することによって無機物質部（または第１部分）に印加される衝撃を吸収することができ、無機物質部に集中するストレスを軽減することによって振動モジュール２００全体の耐久性を向上させることができ、また、振動モジュール２００に柔軟性を提供することができる。
【００７６】
このような圧電複合層（ＰＣＬ）は無機物質からなり、圧電特性を有する第１部分２０１と、有機物質からなりフレキシビリティを有する第２部分２０２が交互に繰り返して接続することにより、薄いフィルム形態を有し、表示装置の表示パネル１００に対応するサイズを有するか、または表示パネル１００が設定された振動特性または音響特性を具現できるサイズを有することができる。
【００７７】
一例によると、また、本出願による振動モジュール２００は、有機物質部と無機物質部のパターン形状に具現することで、振動モジュール２００の面積（またはサイズ）を無限に拡張することができ、これにより表示パネル１００に対する振動モジュール２００のパネルカバレッジが増加することにより、表示パネル１００の振動による音響特性が向上し得る。また、振動モジュール２００のスリム化が可能なので、駆動電圧の上昇を軽減または防止することができる。また、本出願による振動モジュール２００は、無機物質部および有機物質部を含む薄いフィルム状に具現することができるので、表示装置を構成する他の部品および／または機構に干渉せずに表示装置に一体化または装着することができる。
【００７８】
圧電複合層（ＰＣＬ）は、一定の温度雰囲気で、第１電極層２０３と第２電極層２０４に印加される一定の電圧によって分極化され得る。
【００７９】
第１電極層２０３は、圧電複合層（ＰＣＬ）の第１面（または前面）上に配置され、複数の第１部分２０１のそれぞれの第１面と電気的に接続することができる。一例によると、第１電極層２０３は、透明導電性物質、半透明導電性物質、または不透明導電性物質からなり得る。例えば、透明または半透明の導電性物質は、ＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）を含むことができるが、必ずしもこれに限定されるものではない。不透明導電性物質は、アルミニウム（Ａｌ）、銅（Ｃｕ）、金（Ａｕ）、銀（Ａｇ）、モリブデン（Ｍｏ）、またはマグネシウム（Ｍｇ）などを含むか、またはこれらの合金からなり得るが、必ずしもこれに限定されない。
【００８０】
第２電極層２０４は、圧電複合層（ＰＣＬ）の第１面とは反対の第２面（または背面）上に配置され、複数の第１部分２０１のそれぞれの第２面と電気的に接続することができる。一例によると、第２電極層２０４は、透明導電性物質、半透明導電性物質、または不透明導電性物質からなることができる。例えば、第２電極層２０４は、第１電極層２０３と同じ物質からなることができる。
【００８１】
振動モジュール２００は、第１保護フィルム２０５および第２保護フィルム２０６をさらに含むことができる。第１保護フィルム２０５は、第１電極層２０３上に配置され、圧電複合層（ＰＣＬ）の第１面または第１電極層２０３を保護することができる。例えば、第１保護フィルム２０５は、ＰＩ（ｐｏｌｙｉｍｉｄｅ）フィルムまたはＰＥＴ（ｐｏｌｙｅｔｈｙｌｅｎｅｔｅｒｅｐｈｔｈａｌａｔｅ）フィルムであり得るが、必ずしもこれに限定されるものではない。
【００８２】
第２保護フィルム２０６は、第２電極層２０４上に配置され、圧電複合層（ＰＣＬ）の第２面または第２電極層２０４を保護することができる。例えば、第２保護フィルム２０６は、ＰＩ（ｐｏｌｙｉｍｉｄｅ）フィルムまたはＰＥＴ（ｐｏｌｙｅｔｈｙｌｅｎｅｔｅｒｅｐｈｔｈａｌａｔｅ）フィルムであり得るが、必ずしもこれに限定されるものではない。
【００８３】
図６は、本出願の一例による表示装置で、振動モジュールの第１実施例を示す平面図であり、図７は、図６の振動モジュールを示す分解斜視図である。
【００８４】
図６および図７を参照すると、少なくとも一つの振動モジュール２００は、圧電複合層（ＰＣＬ）、第１電極層２０３、および第２電極層２０４を含むことができる。
【００８５】
圧電複合層（ＰＣＬ）は、複数のサブモジュールを含むことができ、複数のサブモジュールのそれぞれは、圧電特性を有する複数の第１部分、および複数の第１部分の間に配置されてフレキシビリティを有する複数の第２部分を含むことができる。
【００８６】
第１電極層２０３は、複数のサブモジュールの第１面（または前面）上に配置され、複数のサブモジュールのそれぞれの複数の第１部分の第１面と電気的に接続することができる。例えば、第１電極層２０３は、一体に形成され、複数のサブモジュールのそれぞれの複数の第１部分に音響信号を供給することができる。別の例では、第１電極層２０３は、複数のサブモジュールのそれぞれに対応する複数の第１電極層を含むことができ、複数の第１電極層のそれぞれは、複数のサブモジュールそれぞれの複数の第１部分に音響信号を供給することができる。
【００８７】
第２電極層２０４は、複数のサブモジュールの第１面とは反対の第２面（または背面）上に配置され、複数のサブモジュールのそれぞれの複数の第１部分の第２面と電気的に接続することができる。例えば、第２電極層２０４は、一体に形成された共通電極からなり得る。
【００８８】
一例によると、圧電複合層（ＰＣＬ）は、第１〜第４サブモジュール２１０、２２０、２３０、２４０を含むことができる。
【００８９】
第１サブモジュール２１０は、圧電複合層（ＰＣＬ）の左側上段に配置され得る。第１サブモジュール２１０は、圧電特性を有する複数の第１部分２１１、および複数の第１部分間に配置されてフレキシビリティを有する複数の第２部分２１２を含むことができる。
【００９０】
一例によると、第１サブモジュール２１０の複数の第１部分２１１は、平面上で第２方向（Ｙ）に延長され、第１方向（Ｘ）に互いに離隔され得る。そして、第１サブモジュール２１０の複数の第２部分２１２は、複数の第１部分２１１間に配置されることによって、複数の第１部分２１１と並んで配置され得る。したがって、第１サブモジュール２１０の複数の第２部分２１２は、平面上で第２方向（Ｙ）に延長され、第１方向（Ｘ）に互いに離隔され得る。
【００９１】
第２サブモジュール２２０は、圧電複合層（ＰＣＬ）の右側上段に配置され得る。第２サブモジュール２２０は、圧電特性を有する複数の第１部分２２１および複数の第１部分の間に配置されてフレキシビリティを有する複数の第２部分２２２を含むことができる。
【００９２】
一例によると、第２サブモジュール２２０の複数の第１部分２２１は、平面上で第２方向（Ｙ）に延長され、第１方向（Ｘ）に互いに離隔され得る。したがって、第２サブモジュール２２０の複数の第１部分２２１の配列方向は、第１サブモジュール２１０の複数の第１部分２１１の配列方向と同じであり得る。
【００９３】
第３サブモジュール２３０は、圧電複合層（ＰＣＬ）の左側下段に配置され得る。第３サブモジュール２３０は、圧電特性を有する複数の第１部分２３１、および複数の第１部分間に配置されてフレキシビリティを有する複数の第２部分２３２を含むことができる。
【００９４】
一例によると、第３サブモジュール２３０の複数の第１部分２３１は、平面上で第２方向（Ｙ）に延長され、第１方向（Ｘ）に互いに離隔され得る。したがって、第３サブモジュール２３０の複数の第１部分２３１の配列方向は、第１および第２サブモジュール２１０、２２０それぞれの複数の第１部分２１１、２２１の配列方向と同じであり得る。
【００９５】
第４サブモジュール２４０は、圧電複合層（ＰＣＬ）の右側下段に配置され得る。第４サブモジュール２４０は、圧電特性を有する複数の第１部分２４１、および複数の第１部分間に配置されてフレキシビリティを有する複数の第２部分２４２を含むことができる。
【００９６】
一例によると、第４サブモジュール２４０の複数の第１部分２４１は、平面上で第２方向（Ｙ）に延長され、第１方向（Ｘ）に互いに離隔され得る。したがって、第４サブモジュール２４０の複数の第１部分２４１の配列方向は、第１〜第３サブモジュール２１０、２２０、２３０それぞれの複数の第１部分２１１、２２１、２３１の配列方向と同じであり得る。
【００９７】
したがって、第１〜第４サブモジュール２１０、２２０、２３０、２４０それぞれは、同じ方向に配列された複数の第１部分２１１、２２１、２３１、２４１を含むことにより、同じ圧電特性を有することができ、他のサブモジュールで発生した振動を補完することができる。結果的に、本出願による振動モジュール２００は、同じ方向に配列された複数の第１部分２１１、２２１、２３１、２４１を含むことにより、表示パネル１００の振動領域を増加させ、立体音響効果を具現することができる。また、本出願による表示装置は、振動モジュール２００の第１方向（Ｘ）または第２方向（Ｙ）に複数のサブモジュールを追加で配置することができるので、大型表示装置の場合、大型（または大面積）の振動モジュールを具現することができる。
【００９８】
図８は、本出願の一例による表示装置で、振動モジュールの第２実施例を示す平面図である。
【００９９】
図８を参照すると、少なくとも一つの振動モジュール２００は、圧電複合層（ＰＣＬ）を含むことができ、圧電複合層（ＰＣＬ）は、第１〜第４サブモジュール２１０、２２０、２３０、２４０を含むことができる。
【０１００】
第１サブモジュール２１０は、圧電複合層（ＰＣＬ）の左側上段に配置することができ、第１サブモジュール２１０は、複数の第１部分２１１、および複数の第２部分２１２を含むことができる。
【０１０１】
一例によると、第１サブモジュール２１０の複数の第１部分２１１は、平面上で第１方向（Ｘ）に延長され、第２方向（Ｙ）に互いに離隔され得る。そして、第１サブモジュール２１０の複数の第２部分２１２は、複数の第１部分２１１間に配置されることによって、複数の第１部分２１１と並んで配置され得る。したがって、第１サブモジュール２１０の複数の第２部分２１２は、平面上で第１方向（Ｘ）に延長され、第２方向（Ｙ）に互いに離隔され得る。
【０１０２】
第２サブモジュール２２０は、圧電複合層（ＰＣＬ）の右側上段に配置することができ、第２サブモジュール２２０は、複数の第１部分２２１および複数の第２部分２２２を含むことができる。
【０１０３】
一例によると、第２サブモジュール２２０の複数の第１部分２２１は、平面上で第１方向（Ｘ）に延長され、第２方向（Ｙ）に互いに離隔され得る。したがって、第２サブモジュール２２０の複数の第１部分２２１の配列方向は、第１サブモジュール２１０の複数の第１部分２１１の配列方向と同じであり得る。
【０１０４】
第３サブモジュール２３０は、圧電複合層（ＰＣＬ）の左側下段に配置することができ、第３サブモジュール２３０は、複数の第１部分２３１、および複数の第２部分２３２を含むことができる。
【０１０５】
一例によると、第３サブモジュール２３０の複数の第１部分２３１は、平面上で第１方向（Ｘ）に延長され、第２方向（Ｙ）に互いに離隔され得る。したがって、第３サブモジュール２３０の複数の第１部分２３１の配列方向は、第１サブモジュール２１０の複数の第１部分２１１の配列方向と同じで、第２サブモジュール２２０の複数の第１部分２２１の配列方向とも同じであり得る。
【０１０６】
第４サブモジュール２４０は、圧電複合層（ＰＣＬ）の右側下段に配置することができ、第４サブモジュール２４０は、複数の第１部分２４１、および複数の第２部分２４２を含むことができる。
【０１０７】
一例によると、第４サブモジュール２４０の複数の第１部分２４１は、平面上で第１方向（Ｘ）に延長され、第２方向（Ｙ）に互いに離隔され得る。したがって、第４サブモジュール２４０の複数の第１部分２４１の配列方向は、第１〜第３サブモジュール２１０、２２０、２３０それぞれの複数の第１部分２１１、２２１、２３１の配列方向と同じであり得る。
【０１０８】
したがって、第１〜第４サブモジュール２１０、２２０、２３０、２４０それぞれは、同じ方向に配列された複数の第１部分２１１、２２１、２３１、２４１を含むことにより、同じ圧電特性を有することができ、他のサブモジュールで発生した振動を補完することができる。結果的に、本出願による振動モジュール２００は、同じ方向に配列された複数の第１部分２１１、２２１、２３１、２４１を含むことにより、表示パネル１００の振動領域を増加させ、立体音響効果を具現することができる。また、本出願による表示装置は、振動モジュール２００の第１方向（Ｘ）または第２方向（Ｙ）に複数のサブモジュールを追加で配置することができるので、大型表示装置の場合、大型（または大面積）の振動モジュールを具現することができる。
【０１０９】
図９は、本出願の一例による表示装置で、振動モジュールの第３実施例を示す平面図である。
【０１１０】
図９を参照すると、少なくとも一つの振動モジュール２００は、圧電複合層（ＰＣＬ）を含むことができ、圧電複合層（ＰＣＬ）は、第１〜第４サブモジュール２１０、２２０、２３０、２４０を含むことができる。
【０１１１】
第１サブモジュール２１０は、圧電複合層（ＰＣＬ）の左側上段に配置することができ、第１サブモジュール２１０は、複数の第１部分２１１、および複数の第２部分２１２を含むことができる。
【０１１２】
一例によると、第１サブモジュール２１０の複数の第１部分２１１は、平面上で第２方向（Ｙ）に延長され、第１方向（Ｘ）に互いに離隔され得る。そして、第１サブモジュール２１０の複数の第２部分２１２は、複数の第１部分２１１の間に配置されることによって、複数の第１部分２１１と並んで配置され得る。したがって、第１サブモジュール２１０の複数の第２部分２１２は、平面上で第２方向（Ｙ）に延長され、第１方向（Ｘ）に互いに離隔され得る。
【０１１３】
第２サブモジュール２２０は、圧電複合層（ＰＣＬ）の右側上段に配置することができ、第２サブモジュール２２０は、複数の第１部分２２１および複数の第２部分２２２を含むことができる。
【０１１４】
一例によると、第２サブモジュール２２０の複数の第１部分２２１は、平面上で第１方向（Ｘ）に延長され、第２方向（Ｙ）に互いに離隔され得る。したがって、第２サブモジュール２２０の複数の第１部分２２１の配列方向は、第１サブモジュール２１０の複数の第１部分２１１の配列方向と異なり得る。
【０１１５】
第３サブモジュール２３０は、圧電複合層（ＰＣＬ）の左側下段に配置することができ、第３サブモジュール２３０は、複数の第１部分２３１、および複数の第２部分２３２を含むことができる。
【０１１６】
一例によると、第３サブモジュール２３０の複数の第１部分２３１は、平面上で第２方向（Ｙ）に延長され、第１方向（Ｘ）に互いに離隔され得る。したがって、第３サブモジュール２３０の複数の第１部分２３１の配列方向は、第１サブモジュール２１０の複数の第１部分２１１の配列方向と同じであり得、第２サブモジュール２２０の複数の第１部分２２１の配列方向と異なり得る。
【０１１７】
第４サブモジュール２４０は、圧電複合層（ＰＣＬ）の右側下段に配置することができ、第４サブモジュール２４０は、複数の第１部分２４１、および複数の第２部分２４２を含むことができる。
【０１１８】
一例によると、第４サブモジュール２４０の複数の第１部分２４１は、平面上で第１方向（Ｘ）に延長され、第２方向（Ｙ）に互いに離隔され得る。したがって、第４サブモジュール２４０の複数の第１部分２４１の配列方向は、第２サブモジュール２２０の複数の第１部分２２１の配列方向と同じであり得る。そして、第４サブモジュール２４０の複数の第１部分２４１の配列方向は、第１および第３サブモジュール２１０、２３０それぞれの複数の第１部分２１１、２３１の配列方向と異なり得る。
【０１１９】
一例によると、複数の第１部分２１１、２３１が第２方向（Ｙ）に配列された第１および第３サブモジュール２１０、２３０と、複数の第１部分２２１、２４１が第１方向（Ｘ）に配列された第２および第４サブモジュール２２０、２４０は、圧電特性が異なり得る。例えば、複数の第１部分２１１、２３１が第２方向（Ｙ）に配列されたサブモジュール２１０、２３０が付着した表示パネル１００と、複数の第１部分２２１、２４１が第１方向（Ｘ）に配列されたサブモジュール２２０、２４０が付着した表示パネル１００は、互いに異なる固有周波数（または固有振動数）を有することができる。これにより、複数の第１部分２１１、２３１が第２方向（Ｙ）に配列されたサブモジュール２１０、２３０が付着した表示パネル１００と、複数の第１部分２２１、２４１が第１方向（Ｘ）に配列されたサブモジュール２２０、２４０が付着した表示パネル１００は、同じ入力信号を受信して、互いに異なる周波数特性を有する音響を出力することができる。つまり、複数の第１部分２１１、２３１が第２方向（Ｙ）に配列されたサブモジュール２１０、２３０が付着した表示パネル１００と、複数の第１部分２２１、２４１が第１方向（Ｘ）に配列されたサブモジュール２２０、２４０が付着した表示パネル１００それぞれの音圧は、互いに異なる周波数でピーク値（Ｐｅａｋ  Ｖａｌｕｅ）を有することができる。したがって、本出願による表示装置は、複数の第１部分２１１、２２１、２３１、２４１が互いに異なる方向に配列された第１〜第４サブモジュール２１０、２２０、２３０、２４０を含むことにより、音圧の周波数特性を相互に補完して音圧の平坦特性を改善することができる。
【０１２０】
図１０は、本出願の一例による表示装置で、振動モジュールの第４実施例を示す平面図である。
【０１２１】
図１０を参照すると、少なくとも一つの振動モジュール２００は、圧電複合層（ＰＣＬ）を含むことができ、圧電複合層（ＰＣＬ）は、第１〜第４サブモジュール２１０、２２０、２３０、２４０を含むことができる。
【０１２２】
第１サブモジュール２１０は、圧電複合層（ＰＣＬ）の左側上段に配置することができ、第１サブモジュール２１０は、複数の第１部分２１１および複数の第２部分２１２を含むことができる。
【０１２３】
一例によると、第１サブモジュール２１０の複数の第１部分２１１は、平面上で第２方向（Ｙ）に延長され、第１方向（Ｘ）に互いに離隔され得る。そして、第１サブモジュール２１０の複数の第２部分２１２は、複数の第１部分２１１の間に配置されることによって、複数の第１部分２１１と並んで配置され得る。したがって、第１サブモジュール２１０の複数の第２部分２１２は、平面上で第２方向（Ｙ）に延長され、第１方向（Ｘ）に互いに離隔され得る。
【０１２４】
第２サブモジュール２２０は、圧電複合層（ＰＣＬ）の右側上段に配置することができ、第２サブモジュール２２０は、複数の第１部分２２１および複数の第２部分２２２を含むことができる。
【０１２５】
一例によると、第２サブモジュール２２０の複数の第１部分２２１は、平面上で第２方向（Ｙ）に延長され、第１方向（Ｘ）に互いに離隔され得る。したがって、第２サブモジュール２２０の複数の第１部分２２１の配列方向は、第１サブモジュール２１０の複数の第１部分２１１の配列方向と同じであり得る。
【０１２６】
第３サブモジュール２３０は、圧電複合層（ＰＣＬ）の左側下段に配置することができ、第３サブモジュール２３０は、複数の第１部分２３１および複数の第２部分２３２を含むことができる。
【０１２７】
一例によると、第３サブモジュール２３０の複数の第１部分２３１は、平面上で第１方向（Ｘ）に延長され、第２方向（Ｙ）に互いに離隔され得る。したがって、第３サブモジュール２３０の複数の第１部分２３１の配列方向は、第１および第２サブモジュール２１０、２２０それぞれの複数の第１部分２１１、２２１の配列方向と異なり得る。
【０１２８】
第４サブモジュール２４０は、圧電複合層（ＰＣＬ）の右側下段に配置することができ、第４サブモジュール２４０は、複数の第１部分２４１、および複数の第２部分２４２を含むことができる。
【０１２９】
一例によると、第４サブモジュール２４０の複数の第１部分２４１は、平面上で第１方向（Ｘ）に延長され、第２方向（Ｙ）に互いに離隔され得る。したがって、第４サブモジュール２４０の複数の第１部分２４１の配列方向は、第３サブモジュール２３０の複数の第１部分２３１の配列方向と同じであり得る。そして、第４サブモジュール２４０の複数の第１部分２４１の配列方向は、第１および第２サブモジュール２１０、２２０それぞれの複数の第１部分２１１、２２１の配列方向と異なり得る。
【０１３０】
一例によると、複数の第１部分２１１、２２１が第２方向（Ｙ）に配列された第１および第２サブモジュール２１０、２２０と、複数の第１部分２３１、２４１が第１方向（Ｘ）に配列された第３および第４サブモジュール２３０、２４０は、圧電特性が互いに異なり得る。例えば、複数の第１部分２１１、２２１が第２方向（Ｙ）に配列されたサブモジュール２１０、２２０が付着した表示パネル１００と、複数の第１部分２３１、２４１が第１方向（Ｘ）に配列されたサブモジュール２３０、２４０が付着した表示パネル１００は、互いに異なる固有周波数（または固有振動数）を有することができる。これにより、複数の第１部分２１１、２２１が第２方向（Ｙ）に配列されたサブモジュール２１０、２２０が付着した表示パネル１００と、複数の第１部分２３１、２４１が第１方向（Ｘ）に配列されたサブモジュール２３０、２４０が付着した表示パネル１００は、同じ入力信号を受信して、互いに異なる周波数特性を有する音響を出力することができる。つまり、複数の第１部分２１１、２２１が第２方向（Ｙ）に配列されたサブモジュール２１０、２２０が付着した表示パネル１００と、複数の第１部分２３１、２４１が第１方向（Ｘ）に配列されたサブモジュール２３０、２４０が付着した表示パネル１００それぞれの音圧は、互いに異なる周波数でピーク値（Ｐｅａｋ  Ｖａｌｕｅ）を有することができる。したがって、本出願による表示装置は、複数の第１部分２１１、２２１、２３１、２４１が互いに異なる方向に配列された第１〜第４サブモジュール２１０、２２０、２３０、２４０を含むことにより、音圧の周波数特性を相互に補完して音圧の平坦特性を改善することができる。
【０１３１】
図１１は、本出願の一例による表示装置で、振動モジュールの第５実施例を示す平面図である。
【０１３２】
図１１を参照すると、少なくとも一つの振動モジュール２００は、圧電複合層（ＰＣＬ）を含むことができ、圧電複合層（ＰＣＬ）は、第１〜第４サブモジュール２１０、２２０、２３０、２４０を含むことができる。
【０１３３】
第１サブモジュール２１０は、圧電複合層（ＰＣＬ）の左側上段に配置することができ、第１サブモジュール２１０は、複数の第１部分２１１、および複数の第２部分２１２を含むことができる。
【０１３４】
一例によると、第１サブモジュール２１０の複数の第１部分２１１は、平面上で第２方向（Ｙ）に延長され、第１方向（Ｘ）に互いに離隔され得る。そして、第１サブモジュール２１０の複数の第２部分２１２は、複数の第１部分２１１間に配置されることによって、複数の第１部分２１１と並んで配置され得る。したがって、第１サブモジュール２１０の複数の第２部分２１２は、平面上で第２方向（Ｙ）に延長され、第１方向（Ｘ）に互いに離隔され得る。
【０１３５】
第２サブモジュール２２０は、圧電複合層（ＰＣＬ）の右側上段に配置することができ、第２サブモジュール２２０は、複数の第１部分２２１および複数の第２部分２２２を含むことができる。
【０１３６】
一例によると、第２サブモジュール２２０の複数の第１部分２２１は、平面上で第１方向（Ｘ）に延長され、第２方向（Ｙ）に互いに離隔され得る。したがって、第２サブモジュール２２０の複数の第１部分２２１の配列方向は、第１サブモジュール２１０の複数の第１部分２１１の配列方向と異なり得る。
【０１３７】
第３サブモジュール２３０は、圧電複合層（ＰＣＬ）の左側下段に配置することができ、第３サブモジュール２３０は、複数の第１部分２３１および複数の第２部分２３２を含むことができる。
【０１３８】
一例によると、第３サブモジュール２３０の複数の第１部分２３１は、平面上で第１方向（Ｘ）に延長され、第２方向（Ｙ）に互いに離隔され得る。したがって、第３サブモジュール２３０の複数の第１部分２３１の配列方向は、第１サブモジュール２１０の複数の第１部分２１１の配列方向と異なり得、第２サブモジュール２２０の複数の第１部分２２１の配列方向と同じであり得る。
【０１３９】
第４サブモジュール２４０は、圧電複合層（ＰＣＬ）の右側下段に配置することができ、第４サブモジュール２４０は、複数の第１部分２４１および複数の第２部分２４２を含むことができる。
【０１４０】
一例によると、第４サブモジュール２４０の複数の第１部分２４１は、平面上で第２方向（Ｙ）に延長され、第１方向（Ｘ）に互いに離隔され得る。したがって、第４サブモジュール２４０の複数の第１部分２４１の配列方向は、第１サブモジュール２１０の複数の第１部分２１１の配列方向と同じであり得る。そして、第４サブモジュール２４０の複数の第１部分２４１の配列方向は、第２および第３サブモジュール２２０、２３０それぞれの複数の第１部分２２１、２３１の配列方向と異なり得る。
【０１４１】
一例によると、複数の第１部分２１１、２４１が第２方向（Ｙ）に配列された第１および第４サブモジュール２１０、２４０と、複数の第１部分２２１、２３１が第１方向（Ｘ）に配列された第２および第３サブモジュール２２０、２３０は、圧電特性が互いに異なり得る。例えば、複数の第１部分２１１、２４１が第２方向（Ｙ）に配列されたサブモジュール２１０、２４０が付着した表示パネル１００と、複数の第１部分２２１、２３１が第１方向（Ｘ）に配列されたサブモジュール２２０、２３０が付着した表示パネル１００は、互いに異なる固有周波数（または固有振動数）を有することができる。これにより、複数の第１部分２１１、２４１が第２方向（Ｙ）に配列されたサブモジュール２１０、２４０が付着した表示パネル１００と、複数の第１部分２２１、２３１が第１方向（Ｘ）に配列されたサブモジュール２２０、２３０が付着した表示パネル１００は、同じ入力信号を受信して、互いに異なる周波数特性を有する音響を出力することができる。つまり、複数の第１部分２１１、２４１が第２方向（Ｙ）に配列されたサブモジュール２１０、２４０が付着した表示パネル１００と、複数の第１部分２２１、２３１が第１方向（Ｘ）に配列されたサブモジュール２２０、２３０が付着した表示パネル１００それぞれの音圧は、互いに異なる周波数でピーク値（Ｐｅａｋ  Ｖａｌｕｅ）を有することができる。したがって、本出願による表示装置は、複数の第１部分２１１、２２１、２３１、２４１が互いに異なる方向に配列された第１〜第４サブモジュール２１０、２２０、２３０、２４０を含むことにより、音圧の周波数特性を相互に補完して音圧の平坦特性を改善することができる。
【０１４２】
図１２は、図６に示した振動モジュールが付着した振動板を示す図である。
【０１４３】
図１２を参照すると、振動板２０ａは、振動モジュール２００の振動の伝達を受けて音響を出力することができる。ここでは、振動板２０ａは、ポリアクリレート（Ｐｏｌｙａｃｒｙｌａｔｅ）で形成することができるが、これに限定されず、振動モジュール２００の振動の伝達を受けて、一定レベルの音圧を有する音響を出力することができる剛性と弾性を有する物質からなり得る。例えば、表示装置１０の表示パネル１００は、振動モジュール２００の振動の伝達を受けて音響（ＳＷ）を直接発生させる振動板の役割をすることができる。
【０１４４】
一例によると、振動板２０ａは、平面上で第１方向（Ｘ）と平行な短辺と、第２方向（Ｙ）と平行な長辺を含むことができる。振動モジュール２００は、第２方向（Ｙ）と平行な長辺を有する振動板２０ａの背面に付着することができる。振動モジュール２００は、圧電複合層（ＰＣＬ）を含むことができ、圧電複合層（ＰＣＬ）は、第１〜第４サブモジュール２１０、２２０、２３０、２４０を含むことができる。
【０１４５】
第１〜第４サブモジュール２１０、２２０、２３０、２４０それぞれの複数の第１部分２１１、２２１、２３１、２４１の配列方向は、図６に示した振動モジュール２００の第１実施例と同じであり得る。このように、第１〜第４サブモジュール２１０、２２０、２３０、２４０それぞれの複数の第１部分２１１、２２１、２３１、２４１は、振動板２０ａの長辺方向と平行に配置することができる。
【０１４６】
図１３は、図８に示した振動モジュールが付着した振動板を示す図である。ここで、図１３の振動板２０ｂ自体の構成は、図１２の振動板２０ａ自体の構成と同じであり得る。したがって、振動モジュールが付着していない図１３の振動板２０ｂは、振動モジュールが付着していない図１２の振動板２０ａと形状、構造、物質、および固有周波数などが同じであり得る。
【０１４７】
図１３を参照すると、振動板２０ｂは、振動モジュール２００の振動の伝達を受けて音響を出力することができる。ここでは、振動板２０ｂは、ポリアクリレート（Ｐｏｌｙａｃｒｙｌａｔｅ）で形成することができるが、これに限定されず、振動モジュール２００の振動の伝達を受けて、一定レベルの音圧を出力することができる剛性と弾性を有する物質からなり得る。例えば、表示装置１０の表示パネル１００は、振動モジュール２００の振動の伝達を受けて音響（ＳＷ）を直接発生させる振動板の役割をすることができる。
【０１４８】
一例によると、振動板２０ｂは、平面上で第１方向（Ｘ）と平行な短辺と、第２方向（Ｙ）と平行な長辺を含むことができる。振動モジュール２００は、第２方向（Ｙ）と平行な長辺を有する振動板２０ｂの背面に付着することができる。振動モジュール２００は、圧電複合層（ＰＣＬ）を含むことができ、圧電複合層（ＰＣＬ）は、第１〜第４サブモジュール２１０、２２０、２３０、２４０を含むことができる。
【０１４９】
第１〜第４サブモジュール２１０、２２０、２３０、２４０それぞれの複数の第１部分２１１、２２１、２３１、２４１の配列方向は、図８に示した振動モジュール２００の第２実施例と同じであり得る。このように、第１〜第４サブモジュール２１０、２２０、２３０、２４０それぞれの複数の第１部分２１１、２２１、２３１、２４１は、表示パネル１００の短辺方向と平行に配置され得る。
【０１５０】
このように、図１３に示した振動板２０ｂは、図８に示した振動モジュール２００を付着することで、図１２に示した振動板２０ａと異なる固有の周波数を有することができる。例えば、振動板の音圧特性は、振動板の構造的特性と振動モジュール２００の圧電物質の配列方向をもとに決定され得る。したがって、図１３に示した振動板２０ｂから出力する音圧特性は、図１２に示した振動板２０ａから出力する音圧特性とは異なり得る。例えば、図１２および図１３のそれぞれに示した振動板２０ａ、２０ｂは、振動モジュール２００の複数の第１部分２１１、２２１、２３１、２４１の配列方向が互いに異なるので、異なる音圧特性を有することができる。
【０１５１】
図１４は、図１２および図１３に示した表示パネルの音圧レベルを示すグラフである。
【０１５２】
図１４を参照すると、図１２に示した振動板２０ａと図１３に示した振動板２０ｂは、振動モジュール２００の複数の第１部分２１１、２２１、２３１、２４１の配列方向が互いに異なるので、異なる音圧特性を有することができる。
【０１５３】
例えば、図１２に示した振動板２０ａは、振動板２０ａの長辺方向と平行に配置された複数の第１部分２１１、２２１、２３１、２４１が付着することができ、図１３に示した振動板２０ｂは、振動板２０ｂの短辺方向と平行に配置された複数の第１部分２１１、２２１、２３１、２４１が付着することができる。
【０１５４】
たとえば、２ｋ〜４ｋＨｚの周波数帯域では、図１２に示した振動板２０ａから出力した音圧（ＳＰＬ）の第１ピーク（Ｐｅａｋ１）の周波数は、図１３に示した振動板２０ｂから出力した音圧（ＳＰＬ）の第２ピーク（Ｐｅａｋ２）の周波数とは異なり得る。
【０１５５】
そして、９ｋ〜１１ｋＨｚｓの周波数帯域では、図１２に示した振動板２０ａから出力した音圧（ＳＰＬ）の第３ピーク（Ｐｅａｋ３）の周波数は、図１３に示した振動板２０ｂから出力した音圧（ＳＰＬ）の第４ピーク（Ｐｅａｋ４）の周波数とは異なり得る。
【０１５６】
したがって、図１２に示した振動板２０ａと、図１３に示した振動板２０ｂは、互いに異なる方向に配列された複数の第１部分２１１、２２１、２３１、２４１を含むことにより、互いに異なる周波数特性を有する音響を出力することができる。
【０１５７】
図１５は、図６に示した振動モジュールが付着した表示装置を示す図である。
【０１５８】
図１５を参照すると、表示装置１０ａは、振動モジュール２００の振動の伝達を受けて音響を出力することができる。ここで、表示装置１０ａは、スマートフォンまたは電子パッドなどのモバイル電子機器（Ｍｏｂｉｌｅ  Ｅｌｅｃｔｒｏｎｉｃ  Ａｐｐａｒａｔｕｓ）であり得るが、これに限定されず、振動モジュール２００の振動の伝達を受けて、一定レベルの音圧を有する音響を出力することができるセット電子機器（Ｓｅｔ  Ｅｌｅｃｔｒｏｎｉｃ  Ａｐｐａｒａｔｕｓ）またはセット装置（Ｓｅｔ  ＤｅｖｉｃｅまたはＳｅｔ  Ａｐｐａｒａｔｕｓ）であり得る。例えば、表示装置１０ａは、振動モジュール２００の振動の伝達を受けて音響（ＳＷ）を直接発生させる振動板の役割をすることができる。
【０１５９】
一例によると、表示装置１０ａは、平面上で第１方向（Ｘ）と平行な短辺と、第２方向（Ｙ）と平行な長辺を含むことができる。振動モジュール２００は、第２方向（Ｙ）と平行な長辺を有する表示装置１０ａの背面（例えば、バックカバーの背面）に付着することができる。振動モジュール２００は、圧電複合層（ＰＣＬ）を含むことができ、圧電複合層（ＰＣＬ）は、第１〜第４サブモジュール２１０、２２０、２３０、２４０を含むことができる。
【０１６０】
第１〜第４サブモジュール２１０、２２０、２３０、２４０それぞれの複数の第１部分２１１、２２１、２３１、２４１の配列方向は、図６に示した振動モジュール２００の第１実施例と同じであり得る。このように、第１〜第４サブモジュール２１０、２２０、２３０、２４０それぞれの複数の第１部分２１１、２２１、２３１、２４１は、表示装置１０ａの長辺方向と平行に配置され得る。
【０１６１】
図１６は、図１５の表示装置で、振動モジュールが追加で接続された表示装置を示す図である。ここで、図１６の表示装置１０ｂ自体の構成は、図１５の表示装置１０ａ自体の構成と同じであり得る。したがって、振動モジュールが付着されない図１５の表示装置１０ａは、振動モジュールが付着しない図１６の表示装置１０ｂと形状、構造、物質、および固有周波数などが同じであり得る。
【０１６２】
図１６を参照すると、表示装置１０ｂは、振動モジュール２００の振動の伝達を受けて音響を出力することができる。ここで、表示装置１０ｂは、スマートフォンまたは電子パッドなどのモバイル電子機器（Ｍｏｂｉｌｅ  Ｅｌｅｃｔｒｏｎｉｃ  Ａｐｐａｒａｔｕｓ）であり得るが、これに限定されず、振動モジュール２００の振動の伝達を受けて、一定レベルの音圧を有する音響を出力することができるセット電子機器（Ｓｅｔ  Ｅｌｅｃｔｒｏｎｉｃ  Ａｐｐａｒａｔｕｓ）またはセット装置（Ｓｅｔ  ＤｅｖｉｃｅまたはＳｅｔ  Ａｐｐａｒａｔｕｓ）であり得る。例えば、表示装置１０ａは、振動モジュール２００の振動の伝達を受けて音響（ＳＷ）を直接発生させる振動板の役割をすることができる。
【０１６３】
一例によると、表示装置１０ｂは、平面上で第１方向（Ｘ）と平行な短辺と、第２方向（Ｙ）と平行な長辺を含むことができる。振動モジュール２００は、第２方向（Ｙ）と平行な長辺を有する表示装置１０ｂの背面（例えば、バックカバーの背面）に付着することができる。振動モジュール２００は、圧電複合層（ＰＣＬ）を含むことができ、圧電複合層（ＰＣＬ）は、第１〜第６サブモジュール２１０、２２０、２３０、２４０、２５０、２６０を含むことができる。
【０１６４】
一例によると、第５サブモジュール２５０は、第１サブモジュール２１０の第１面上に配置することができ、第６サブモジュール２６０は、第２サブモジュール２２０の第１面上に配置され得る。別の例によると、第５サブモジュール２５０は、第３サブモジュール２３０の第２面上に配置することができ、第６サブモジュール２６０は、第４サブモジュール２４０の第２面上に配置され得る。このように、第５サブモジュール２５０または第６サブモジュール２６０は、第１〜第４サブモジュール２１０、２２０、２３０、２４０のうちの少なくとも一つと隣接するように配置することができ、その位置が限定されない。
【０１６５】
第１〜第４サブモジュール２１０、２２０、２３０、２４０それぞれの複数の第１部分２１１、２２１、２３１、２４１の配列方向は、図６に示した振動モジュール２００の第１実施例と同じであり得る。このように、第１〜第４サブモジュール２１０、２２０、２３０、２４０それぞれの複数の第１部分２１１、２２１、２３１、２４１は、表示装置１０ｂの長辺方向と平行に配置され得る。
【０１６６】
第５および第６サブモジュール２５０、２６０それぞれの複数の第１部分２５１、２６１の配列方向は、第１〜第４サブモジュール２１０、２２０、２３０、２４０それぞれの複数の第１部分２１１、２２１、２３１、２４１の配列方向と異なり得る。このように、第５および第６サブモジュール２５０、２６０それぞれの複数の第１部分２５１、２６１は、表示パネル１００の短辺方向と平行に配置され得る。
【０１６７】
したがって、図１６に示した表示装置１０ｂは、図１５に示した表示装置１０ａに第５および第６サブモジュール２５０、２６０をさらに含むことができ、図１６に示した表示装置１０ｂは、複数の第１部分２１１、２２１、２３１、２４１、２５１、２６１が互いに異なる方向に配列された第１〜第６サブモジュール２１０、２２０、２３０、２４０、２５０、２６０を含むことにより、音圧の周波数特性を相互に補完して音圧の平坦特性を改善することができる。
【０１６８】
図１７は、図１５および図１６に示した表示装置の音圧レベルを示すグラフである。
【０１６９】
図１７を参照すると、図１６に示した表示装置１０ｂは、図１５に示した表示装置１０ａに第５および第６サブモジュール２５０、２６０をさらに含むことができる。
【０１７０】
これにより、複数の第１部分２１１、２２１、２３１、２４１が同一方向に配列された表示装置１０ａと、複数の第１部分の一部２１１、２２１、２３１、２４１と、異なる一部２５１、２６１が、互いに異なる方向に配列された表示装置１０ｂは、互いに異なる固有周波数（または固有振動数）を有することができる。これにより、図１５に示した表示装置１０ａと、図１６に示した表示装置１０ｂは、同一の入力信号を受信して、互いに異なる周波数特性を有することができる。
【０１７１】
例えば、図１５に示した表示装置１０ａは、１ｋＨｚ以下の周波数帯域では比較的高い音圧を有する音響を出力することができるが、１ｋＨｚ以上の周波数帯域で比較的低い音圧を有する音響を出力することができる。
【０１７２】
そして、図１６に示した表示装置１０ｂは、１ｋＨｚ以下の周波数帯域では、図１５に示した表示装置１０ａから出力した音響と類似なレベルの音圧を有し、１ｋＨｚ以上の周波数帯域では、図１５に示した表示装置１０ａよりもはるかに高いレベルの音圧を有する音響を出力することができる。
【０１７３】
前述の図１４の説明を参照すると、表示装置１０ｂの長辺方向と平行に配置された複数の第１部分２１１、２２１、２３１、２４１は、表示装置１０ｂの短辺方向と平行に配置された複数の第１部分２５１、２６１と互いに異なる周波数特性を有する音響を出力することができる。これにより、表示装置１０ｂの長辺方向と平行に配置された複数の第１部分２１１、２２１、２３１、２４１と表示装置１０ｂの短辺方向と平行に配置された複数の第１部分２５１、２６１それぞれは、同一の入力信号を受信して、互いに異なる周波数特性を有する音響を出力することができる。したがって、本出願による表示装置は、複数の第１部分２１１、２２１、２３１、２４１、２５１、２６１が互いに異なる方向に配列された複数のサブモジュール２１０、２２０、２３０、２４０、２５０、２６０を含むことにより、音圧の周波数特性を相互に補完して音圧の平坦特性を改善することができる。
【０１７４】
図１８は、本出願の一例による表示装置で、振動モジュールの第６実施例を示す平面図である。
【０１７５】
図１８を参照すると、少なくとも一つの振動モジュール２００は、圧電複合層（ＰＣＬ）を含むことができ、圧電複合層（ＰＣＬ）は、第１〜第４サブモジュール２１０、２２０、２３０、２４０を含むことができる。
【０１７６】
そして、第１〜第４サブモジュール２１０、２２０、２３０、２４０それぞれの複数の第１部分２１１、２２１、２３１、２４１の配列方向は、図６に示した振動モジュール２００の第１実施例と同じであり得る。
【０１７７】
このように、本出願の一例による表示装置で、第６実施例に係る振動モジュール２００は、第１実施例に係る振動モジュール２００にプレート２９０をさらに含むことができる。
【０１７８】
プレート２９０は、表示パネル１００と少なくとも一つの振動モジュール２００の間に配置され得る。一例によると、プレート２９０は、接着部材を介して表示パネル１００と少なくとも一つの振動モジュール２００それぞれに結合することができる。プレート２９０は、振動モジュール２００の振動を表示パネル１００に伝達することができる。したがって、プレート２９０は、振動モジュール２００の質量（Ｍａｓｓ）を増加させて振動モジュール２００が付着した表示パネル１００の共振周波数を減少させることにより、振動モジュール２００が付着した表示パネル１００が再生できる最低音域（または最低再生周波数）を低くして低音再生帯域の音圧を改善し、再生周波数帯域を拡張することができる。したがって、本出願による表示装置１０は、プレート２９０を備えた振動モジュール２００を含むことにより、音圧の平坦特性を改善することができる。
【０１７９】
例えば、プレート２９０は、ステンレス鋼（Ｓｔａｉｎｅｌｅｓｓ  Ｓｔｅｅｌ）、アルミニウム（Ａｌ）、マグネシウム（Ｍｇ）合金、マグネシウム（Ｍｇ）リチウム（Ｌｉ）合金、アルミニウム（Ａｌ）合金、ポリカーボネート（ＰｏｌｙＣａｒｂｏｎａｔｅ，ＰＣ）のいずれかの材質からなり得るが、必ずしもこれに限定されるものではない。
【０１８０】
結果的に、本出願による表示装置１０は、同じ方向に配列された複数の第１部分２１１、２２１、２３１、２４１を含むことにより、表示パネル１００の振動領域を増加させ、立体音響効果を具現することができ、プレート２９０を含むことにより、再生周波数帯域を拡張して、音圧の平坦特性を改善することができる。
【０１８１】
図１９は、本出願の一例による表示装置で、振動モジュールの第７実施例を示す平面図である。
【０１８２】
図１９を参照すると、少なくとも一つの振動モジュール２００は、圧電複合層（ＰＣＬ）を含むことができ、圧電複合層（ＰＣＬ）は、第１〜第４サブモジュール２１０、２２０、２３０、２４０を含むことができる。
【０１８３】
そして、第１〜第４サブモジュール２１０、２２０、２３０、２４０それぞれの複数の第１部分２１１、２２１、２３１、２４１の配列方向は、図８に示した振動モジュール２００の第２実施例と同じであり得る。
【０１８４】
このように、本出願の一例による表示装置で、第７実施例に係る振動モジュール２００は、第２実施例に係る振動モジュール２００にプレート２９０をさらに含むことができる。
【０１８５】
プレート２９０は、表示パネル１００と少なくとも一つの振動モジュール２００の間に配置され得る。プレート２９０は、振動モジュール２００の質量（Ｍａｓｓ）を増加させて振動モジュール２００が付着した表示パネル１００の共振周波数を減少させることにより、振動モジュール２００が付着した表示パネル１００が再生できる最低音域（または最低再生周波数）を低くして低音再生帯域の音圧を改善し、再生周波数帯域を拡張することができる。したがって、本出願による表示装置１０は、プレート２９０を備えた振動モジュール２００を含むことにより、音圧の平坦特性を改善することができる。
【０１８６】
結果的に、本出願による表示装置１０は、同じ方向に配列された複数の第１部分２１１、２２１、２３１、２４１を含むことにより、表示パネル１００の振動領域を増加させ、立体音響効果を具現することができ、プレート２９０を含むことにより、再生周波数帯域を拡張して、音圧の平坦特性を改善することができる。
【０１８７】
図２０は、本出願の一例による表示装置で、振動モジュールの第８実施例を示す平面図である。
【０１８８】
図２０を参照すると、少なくとも一つの振動モジュール２００は、圧電複合層（ＰＣＬ）を含むことができ、圧電複合層（ＰＣＬ）は、第１〜第４サブモジュール２１０、２２０、２３０、２４０を含むことができる。
【０１８９】
そして、第１〜第４サブモジュール２１０、２２０、２３０、２４０それぞれの複数の第１部分２１１、２２１、２３１、２４１の配列方向は、図９に示した振動モジュール２００の第３実施例と同じであり得る。
【０１９０】
したがって、本出願の一例による表示装置で、第８の実施例に係る振動モジュール２００は、第３実施例に係る振動モジュール２００にプレート２９０をさらに含むことができる。
【０１９１】
プレート２９０は、表示パネル１００と少なくとも一つの振動モジュール２００の間に配置され得る。プレート２９０は、振動モジュール２００の質量（Ｍａｓｓ）を増加させて振動モジュール２００が付着した表示パネル１００の共振周波数を減少させることにより、振動モジュール２００が付着した表示パネル１００が再生できる最低音域（または最低再生周波数）を低くして低音再生帯域の音圧を改善し、再生周波数帯域を拡張することができる。したがって、本出願による表示装置１０は、プレート２９０を備えた振動モジュール２００を含むことにより、音圧の平坦特性を改善することができる。
【０１９２】
結果的に、本出願による表示装置１０は、互いに異なる方向に配列された複数の第１部分２１１、２２１、２３１、２４１を含むことにより、複数のサブモジュール２１０、２２０、２３０、２４０それぞれの音圧の周波数特性を相互に補完して音圧の平坦特性を改善することができる。また、本出願による表示装置１０は、プレート２９０をさらに含むことにより、最低再生周波数を低くして再生周波数帯域を拡張して、音圧の平坦特性を改善することができる。
【０１９３】
図２１は、本出願の一例による表示装置で、振動モジュールの第９実施例を示す平面図である。
【０１９４】
図２１を参照すると、少なくとも一つの振動モジュール２００は、圧電複合層（ＰＣＬ）を含むことができ、圧電複合層（ＰＣＬ）は、第１〜第４サブモジュール２１０、２２０、２３０、２４０を含むことができる。
【０１９５】
そして、第１〜第４サブモジュール２１０、２２０、２３０、２４０それぞれの複数の第１部分２１１、２２１、２３１、２４１の配列方向は、図１０に示した振動モジュール２００の第４実施例と同じであり得る。
【０１９６】
したがって、本出願の一例による表示装置で、第９の実施例に係る振動モジュール２００は、第４実施例に係る振動モジュール２００にプレート２９０をさらに含むことができる。
【０１９７】
プレート２９０は、表示パネル１００と少なくとも一つの振動モジュール２００の間に配置され得る。プレート２９０は、振動モジュール２００の質量（Ｍａｓｓ）を増加させて振動モジュール２００が付着した表示パネル１００の共振周波数を減少させることにより、振動モジュール２００が付着した表示パネル１００が再生できる最低音域（または最低再生周波数）を低くして低音再生帯域の音圧を改善し、再生周波数帯域を拡張することができる。したがって、本出願による表示装置１０は、プレート２９０を備えた振動モジュール２００を含むことにより、音圧の平坦特性を改善することができる。
【０１９８】
結果的に、本出願による表示装置１０は、互いに異なる方向に配列された複数の第１部分２１１、２２１、２３１、２４１を含むことにより、複数のサブモジュール２１０、２２０、２３０、２４０それぞれの音圧の周波数特性を相互に補完して音圧の平坦特性を改善することができる。また、本出願による表示装置１０は、プレート２９０をさらに含むことにより、最低再生周波数を低くして再生周波数帯域を拡張して、音圧の平坦特性を改善することができる。
【０１９９】
図２２は、本出願の一例による表示装置で、振動モジュールの第１０実施例を示す平面図である。
【０２００】
図２２を参照すると、少なくとも一つの振動モジュール２００は、圧電複合層（ＰＣＬ）を含むことができ、圧電複合層（ＰＣＬ）は、第１〜第４サブモジュール２１０、２２０、２３０、２４０を含むことができる。
【０２０１】
そして、第１〜第４サブモジュール２１０、２２０、２３０、２４０それぞれの複数の第１部分２１１、２２１、２３１、２４１の配列方向は、図１１に示した振動モジュール２００の第５実施例と同じであり得る。
【０２０２】
したがって、本出願の一例による表示装置で、第１０の実施例に係る振動モジュール２００は、第５の実施例に係る振動モジュール２００にプレート２９０をさらに含むことができる。
【０２０３】
プレート２９０は、表示パネル１００と少なくとも一つの振動モジュール２００の間に配置され得る。プレート２９０は、振動モジュール２００の質量（Ｍａｓｓ）を増加させて振動モジュール２００が付着した表示パネル１００の共振周波数を減少させることにより、振動モジュール２００が付着した表示パネル１００が再生できる最低音域（または最低再生周波数）を低くして低音再生帯域の音圧を改善し、再生周波数帯域を拡張することができる。したがって、本出願による表示装置１０は、プレート２９０を備えた振動モジュール２００を含むことにより、音圧の平坦特性を改善することができる。
【０２０４】
結果的に、本出願による表示装置１０は、互いに異なる方向に配列された複数の第１部分２１１、２２１、２３１、２４１を含むことにより、複数のサブモジュール２１０、２２０、２３０、２４０それぞれの音圧の周波数特性を相互に補完して音圧の平坦特性を改善することができる。また、本出願による表示装置１０は、プレート２９０をさらに含むことにより、最低再生周波数を低くして再生周波数帯域を拡張して、音圧の平坦特性を改善することができる。
【０２０５】
図２３は図１８に示した振動モジュールのプレートの構成による音圧レベルを示すグラフである。ここで、第１プレート２９０ａを用いた音圧レベルは、実線で示し、第２プレート２９０ｂを用いた音圧レベルは、点線で示す。
【０２０６】
図２３を参照すると、プレート２９０は、表示パネル１００と少なくとも一つの振動モジュール２００の間に配置され得る。プレート２９０は、振動モジュール２００の質量（Ｍａｓｓ）を増加させて振動モジュール２００が付着した表示パネル１００の共振周波数を減少させることにより、振動モジュール２００が付着した表示パネル１００が再生できる最低音域（または最低再生周波数）を低くして低音再生帯域の音圧を改善し、再生周波数帯域を拡張することができる。したがって、本出願による表示装置１０は、プレート２９０を備えた振動モジュール２００を含むことにより、音圧の平坦特性を改善することができる。
【０２０７】
例えば、第１プレート２９０ａは、第１厚さを有することができ、アルミニウム（Ａｌ）からなり得る。そして、第２プレート２９０ｂは、第１厚さの２倍の第２厚さを有することができ、ポリカーボネート（ＰｏｌｙＣａｒｂｏｎａｔｅ，ＰＣ）で形成することができる。
【０２０８】
したがって、第２プレート２９０ｂは、第１プレート２９０ａより振動モジュール２００の質量をさらに増加させることができ、振動モジュール２００が付着した表示パネル１００の共振周波数をさらに減少させることができる。このように、本出願による表示装置１０は、振動モジュール２００の重量を増加させるほど、最低再生周波数を低くすることができ、再生周波数帯域を拡張することができる。
【０２０９】
図２４は、本出願の他の例による表示装置で、複数の振動モジュールの第１実施例を示す平面図である。
【０２１０】
図２４を参照すると、表示パネル１００は、第１〜第３領域（Ａ１、Ａ２、Ａ３）を含むことができる。例えば、表示パネル１００の第１領域（Ａ１）は、左側の領域であり、第２領域（Ａ２）は、右側の領域であり、第３領域（Ａ３）は、中央領域であり得る。そして、第１および第２領域（Ａ１、Ａ２）は、表示パネル１００の中心部または第３領域（Ａ３）を基準に左右対称であり得る。
【０２１１】
複数の振動モジュールは、表示パネル１００の背面に配置され、表示パネル１００の第１および第２領域（Ａ１、Ａ２）それぞれを振動させることができる。一例によれば、複数の振動モジュールは、第１〜第４振動モジュール６００、７００、８００、９００を含むことができる。第１〜第４振動モジュール６００、７００、８００、９００それぞれは、複数のサブモジュールを有する圧電複合層（ＰＣＬ）、第１電極層および第２電極層を含むことができる。
【０２１２】
第１振動モジュール６００の圧電複合層（ＰＣＬ）は、第１〜第４サブモジュール６１０、６２０、６３０、６４０を含むことができ、第１〜第４サブモジュール６１０、６２０、６３０、６４０それぞれは、圧電特性を有する複数の第１部分６１１、６２１、６３１、６４１、および複数の第１部分の間に配置されてフレキシビリティを有する複数の第２部分６１２、６２２、６３２、６４２を含むことができる。
【０２１３】
第２振動モジュール７００の圧電複合層（ＰＣＬ）は、第１〜第４サブモジュール７１０、７２０、７３０、７４０を含むことができ、第１〜第４サブモジュール７１０、７２０、７３０、７４０それぞれは、圧電特性を有する複数の第１部分７１１、７２１、７３１、７４１、および複数の第１部分の間に配置されてフレキシビリティを有する複数の第２部分７１２、７２２、７３２、７４２を含むことができる。
【０２１４】
第３振動モジュール８００の圧電複合層（ＰＣＬ）は、第１〜第４サブモジュール８１０、８２０、８３０、８４０を含むことができ、第１〜第４サブモジュール８１０、８２０、８３０、８４０それぞれは、圧電特性を有する複数の第１部分８１１、８２１、８３１、８４１、および複数の第１部分の間に配置されてフレキシビリティを有する複数の第２部分８１２、８２２、８３２、８４２を含むことができる。
【０２１５】
第４振動モジュール９００の圧電複合層（ＰＣＬ）は、第１〜第４サブモジュール９１０、９２０、９３０、９４０を含むことができ、第１〜第４サブモジュール９１０、９２０、９３０、９４０それぞれは、圧電特性を有する複数の第１部分９１１、９２１、９３１、９４１、および複数の第１部分の間に配置されてフレキシビリティを有する複数の第２部分９１２、９２２、９３２、９４２を含むことができる。
【０２１６】
第１および第２振動モジュール６００、７００は、表示パネル１００の第１領域（Ａ１）と重畳することができる。第１および第２振動モジュール６００、７００は、表示パネル１００の第１領域（Ａ１）を振動させることで、表示パネル１００の第１領域（Ａ１）を振動板として用いて、音響（ＳＷ）を発生させたり、触覚フィードバックを発生させることができる。
【０２１７】
第３および第４振動モジュール８００、９００は、表示パネル１００の第２領域（Ａ２）と重畳することができる。第３および第４振動モジュール８００、９００は、表示パネル１００の第２領域（Ａ２）を振動させることで、表示パネル１００の第２領域（Ａ２）を振動板として用いて、音響（ＳＷ）を発生させたり、触覚フィードバックを発生させることができる。
【０２１８】
一例によると、表示装置１０は、表示パネル１００背面の左側の領域に配置された第１および第２振動モジュール６００、７００と表示パネル１００背面の右側の領域に配置された第３および第４振動モジュール８００、９００を含むことにより、左右の音響分離による２チャネルモードのステレオ音響を出力することができる。このように、第１および第２振動モジュール６００、７００は、左側の音響を出力することができ、第３および第４振動モジュール８００、９００は、右側の音響を出力することができる。
【０２１９】
一例によると、第１および第２振動モジュール６００、７００と、第３および第４振動モジュール８００、９００は、表示パネル１００の中心部を基準に左右対称であり得る。例えば、第１振動モジュール６００の第１〜第４サブモジュール６１０、６２０、６３０、６４０それぞれの複数の第１部分６１１、６２１、６３１、６４１の配列方向は、第３振動モジュール８００の第１〜第４サブモジュール８１０、８２０、８３０、８４０それぞれの複数の第１部分８１１、８２１、８３１、８４１の配列方向と同じであり得る。そして、第２振動モジュール７００の第１〜第４サブモジュール７１０、７２０、７３０、７４０それぞれの複数の第１部分７１１、７２１、７３１、７４１の配列方向は、第４振動モジュール９００の第１〜第４サブモジュール９１０、９２０、９３０、９４０それぞれの複数の第１部分９１１、９２１、９３１、９４１の配列方向と同じであり得る。したがって以下では、第１および第２振動モジュール６００、７００の構成を中心に説明し、第３および第４振動モジュール８００、９００の構成についての説明は省略することにする。
【０２２０】
例えば、第１および第２振動モジュール６００、７００それぞれの第１サブモジュール６１０、７１０は、圧電複合層（ＰＣＬ）の左側上段に配置することができ、第２サブモジュール６２０、７２０は、圧電複合層（ＰＣＬ）の右側上段に配置され得る。そして、第１および第２振動モジュール６００、７００それぞれの第３サブモジュール６３０、７３０は、圧電複合層（ＰＣＬ）の左側下段に配置することができ、第４サブモジュール６４０、７４０は圧電複合層（ＰＣＬ）の右側下段に配置することができる
【０２２１】
第１振動モジュール６００は、表示パネル１００の第１領域（Ａ１）と重畳することができ、第２振動モジュール７００は、第１振動モジュール６００と平面上で第１方向（Ｘ）に隣接することができる。
【０２２２】
第１振動モジュール６００の第１〜第４サブモジュール６１０、６２０、６３０、６４０の複数の第１部分６１１、６２１、６３１、６４１は平面上で第２方向（Ｙ）に延長され、第１方向（Ｘ）に互いに離隔し得る。
【０２２３】
第２振動モジュール７００の第１〜第４サブモジュール７１０、７２０、７３０、７４０の複数の第１部分７１１、７２１、７３１、７４１は平面上で第２方向（Ｙ）に延長され、第１方向（Ｘ）に互いに離隔し得る。
【０２２４】
したがって、第１および第２振動モジュール６００、７００は、同じ方向に配列された複数の第１部分６１１、６２１、６３１、６４１、７１１、７２１、７３１、７４１を含むことにより、同じ圧電特性を有することができ、他のサブモジュールで発生した振動を補完することができる。結果的に、本出願による振動モジュール２００は、同じ方向に配列された複数の第１部分６１１、６２１、６３１、６４１、７１１、７２１、７３１、７４１を含むことにより、表示パネル１００の振動領域を増加させ、立体音響効果を実現することができる。また、本出願による表示装置は、振動モジュール２００の第１方向（Ｘ）または第２方向（Ｙ）に複数のサブモジュールを追加で配置することができるので、大型表示装置の場合、大型（または大面積）の振動モジュールを具現することができる。
【０２２５】
一例によると、表示装置１０は、複数の振動モジュールを囲むパーティション５００をさらに含むことができる。パーティション５００は、表示パネル１００の第１領域（Ａ１）を囲む第１パーティション５１０、表示パネル１００の第２領域（Ａ２）を囲む第２パーティション５２０、および表示パネル１００の第３領域（Ａ３）を囲む第３パーティション５３０を含むことができる。
【０２２６】
第１パーティション５１０は、第１および第２振動モジュール６００、７００を離隔するように囲み、第２パーティション５２０は、第３および第４振動モジュール８００、９００を離隔するように囲むことができる。そして、第３パーティション５３０は、第１および第２パーティション５１０、５２０の間に配置され得る。このように、第１パーティション５１０は、第１および第２振動モジュール６００、７００で発生した振動を表示パネル１００の第１領域（Ａ１）に集中させ、第２パーティション５２０は、第３および第４振動モジュール８００、９００で発生した振動を表示パネル１００の第２領域（Ａ２）に集中させ、第３パーティション５３０は、第１および第２振動モジュール６００、７００で発生した振動と、第３および第４振動モジュール８００、９００で発生した振動の干渉を防止することができる。
【０２２７】
図２５は、本出願の他の例による表示装置で、複数の振動モジュールの第２実施例を示す平面図である。ここで、図２５に示した表示装置は、図２４に示した表示装置と、第１および第２振動モジュール６００、７００の配置だけを異にするものであり、前述した構成と同一の構成は、簡単に説明したり、省略することにする。
【０２２８】
図２５を参照すると、第１振動モジュール６００は、表示パネル１００の第１領域（Ａ１）と重畳することができ、第２振動モジュール７００は、第１振動モジュール６００と平面上で第２方向（Ｙ）に隣接することができる。
【０２２９】
第１振動モジュール６００の第１〜第４サブモジュール６１０、６２０、６３０、６４０の複数の第１部分６１１、６２１、６３１、６４１は平面上で第２方向（Ｙ）に延長され、第１方向（Ｘ）に互いに離隔し得る。
【０２３０】
第２振動モジュール７００の第１〜第４サブモジュール７１０、７２０、７３０、７４０の複数の第１部分７１１、７２１、７３１、７４１は平面上で第２方向（Ｙ）に延長され、第１方向（Ｘ）に互いに離隔し得る。
【０２３１】
したがって、第１および第２振動モジュール６００、７００は、同じ方向に配列された複数の第１部分６１１、６２１、６３１、６４１、７１１、７２１、７３１、７４１を含むことにより、同じ圧電特性を有することができ、他のサブモジュールで発生した振動を補完することができる。結果的に、本出願による振動モジュール２００は、同じ方向に配列された複数の第１部分６１１、６２１、６３１、６４１、７１１、７２１、７３１、７４１を含むことにより、表示パネル１００の振動領域を増加させ、立体音響効果を実現することができる。また、本出願による表示装置は、振動モジュール２００の第１方向（Ｘ）または第２方向（Ｙ）に複数のサブモジュールを追加で配置することができるので、大型表示装置の場合、大型（または大面積）の振動モジュールを具現することができる。
【０２３２】
図２６は、図２４および図２５に示した表示装置の音圧レベルを示すグラフである。ここで、図２４に示した表示装置１０ｃの音圧レベルは、実線で示し、図２５に示した表示装置１０ｄの音圧レベルは、点線で示す。
【０２３３】
図２６を参照すると、図２４に示した表示装置１０ｃと図２５に示した表示装置１０ｄは、第１および第２振動モジュール６００、７００の配列方向が異なるので、異なる音圧特性を有することができる。
【０２３４】
一例によると、第１および第２振動モジュール６００、７００は、第１パーティション５１０で囲まれている表示パネル１００の第１領域（Ａ１）を振動板として使用して音響を出力することができる。ここで、第１パーティション５１０で囲まれている表示パネル１００の第１領域（Ａ１）は、平面上で第１方向（Ｘ）と平行な短辺と、第２方向（Ｙ）と平行な長辺を含むことができる。
【０２３５】
例えば、図２４に示した表示装置１０ｃで、第１パーティション５１０で囲まれている表示パネル１００の第１領域（Ａ１）は、第１領域（Ａ１）の短辺方向と平行に配置された第１および第２振動モジュール６００、７００が付着し得る。そして、図２５に示した表示装置１０ｄにおいて、第１パーティション５１０で囲まれている表示パネル１００の第１領域（Ａ１）は、第１領域（Ａ１）の長辺方向と平行に配置された第１および第２振動モジュール６００、７００が付着し得る。
【０２３６】
このように、図２４に示した表示装置１０ｃは、表示パネル１００の第１領域（Ａ１）の長辺が第２方向（Ｙ）と平行して、第１および第２振動モジュール６００、７００が表示パネル１００の第１領域（Ａ１）の短辺方向と平行に配置され得る。そして、図２５に示した表示装置１０ｄは、表示パネル１００の第１領域（Ａ１）の長辺が第２方向（Ｙ）と平行して、第１および第２振動モジュール６００、７００が表示パネル１００の第１領域（Ａ１）の長辺方向と平行に配置され得る。
【０２３７】
したがって、図２４に示した表示装置１０ｃの第１領域（Ａ１）の振動面積は、図２５に示した表示装置１０ｄの第１領域（Ａ１）の振動面積よりも増加し得、図２４に示した表示装置１０ｃの音圧の平坦特性をさらに均一にすることができる。ここで、表示装置１０ｃ、１０ｄの音圧特性は、振動板に作用する表示パネル１００の第１領域（Ａ１）の構造特性と、第１および第２振動モジュール６００、７００の圧電物質の配列方向を基に決定され得る。
【０２３８】
結果的に、１ｋＨｚ以上の周波数帯域では、図２４に示した表示装置１０ｃの音圧の平坦特性は、図２５に示した表示装置１０ｄの音圧の平坦特性より均一にすることができる。
【０２３９】
図２７は、本出願の他の例による表示装置で、複数の振動モジュールの第３実施例を示す平面図である。
【０２４０】
図２７を参照すると、表示装置１０ｅは、表示パネル１００の第１領域（Ａ１）と、重畳する第１振動モジュール６００および表示パネル１００の第２領域（Ａ２）と、重畳する第３振動モジュール８００を含むことができる。
【０２４１】
第１振動モジュール６００の第１〜第４サブモジュール６１０、６２０、６３０、６４０の複数の第１部分６１１、６２１、６３１、６４１は、平面上で第２方向（Ｙ）に延長され、第１方向（Ｘ）に互いに離隔され得る。
【０２４２】
そして、第３振動モジュール８００の複数の第１部分８１１、８２１、８３１、８４１の配列方向は、第１振動モジュール６００の複数の第１部分６１１、６２１、６３１、６４１の配列方向と同じであり得る。
【０２４３】
図２８は、本出願の他の例による表示装置では、複数の振動モジュールの第４実施例を示す平面図である。
【０２４４】
図２８を参照すると、表示装置１０ｆは、表示パネル１００の第１領域（Ａ１）と重畳する第１振動モジュール６００と表示パネル１００の第２領域（Ａ２）と重畳する第３振動モジュール８００を含むことができる。
【０２４５】
また、表示装置１０ｆは、図２７に示した表示装置１０ｅに、プレート６５０、８５０をさらに含むことができる。
【０２４６】
プレート６５０は、表示パネル１００の第１領域（Ａ１）と、第１振動モジュール６００の間に配置され得る。プレート６５０は、第１振動モジュール６００の質量（Ｍａｓｓ）を増加させて、第１振動モジュール６００が付着した表示パネル１００の共振周波数を減少させることにより、第１振動モジュール６００が付着した表示パネル１００が再生できる最低音域（または最低再生周波数）を低くして低音再生帯域の音圧を改善し、再生周波数帯域を拡張することができる。したがって、本出願による表示装置１０ｆは、プレート６５０を備えた第１振動モジュール６００を含むことにより、音圧の平坦特性を改善することができる。
【０２４７】
図２９は、本出願の他の例による表示装置で、複数の振動モジュールの第５実施例を示す平面図である。
【０２４８】
図２９を参照すると、表示装置１０ｇは、表示パネル１００の第１領域（Ａ１）と重畳する第１および第２振動モジュール６００、７００と、表示パネル１００の第２領域（Ａ２）と重畳する第３および第４振動モジュール８００、９００を含むことができる。
【０２４９】
第１振動モジュール６００は、表示パネル１００の第１領域（Ａ１）と重畳することができ、第２振動モジュール７００は、表示パネル１００の第１領域（Ａ１）と重畳して、第１振動モジュール６００と互い違いに配置することができる。
【０２５０】
第１振動モジュール６００の第１〜第４サブモジュール６１０、６２０、６３０、６４０の複数の第１部分６１１、６２１、６３１、６４１は平面上で第２方向（Ｙ）に延長され、第１方向（Ｘ）に互いに離隔し得る。
【０２５１】
第２振動モジュール７００の第１〜第４サブモジュール７１０、７２０、７３０、７４０の複数の第１部分７１１、７２１、７３１、７４１は平面上で第２方向（Ｙ）に延長され、第１方向（Ｘ）に互いに離隔され得る。例えば、第２振動モジュール７００の第１サブモジュール７１０の左側上部の頂点は、第１振動モジュール６００の第４サブモジュール６４０の右側下段の頂点と接触し得る。
【０２５２】
一例によると、第１および第２振動モジュール６００、７００は、第１方向（Ｘ）および第２方向（Ｙ）の対角線に沿って配置されることにより、表示装置１０ｇの第１領域（Ａ１）の振動面積を増加させ、表示装置１０の音圧特性を向上させることができる。
【０２５３】
一例によれば、図２４に示した表示装置１０ｃは、第１方向（Ｘ）に沿って配置された第１および第２振動モジュール６００、７００を含むことができ、図２５に示した表示装置１０ｄは、第２方向（Ｙ）に沿って配置された第１および第２振動モジュール６００、７００を含むことができる。このように、並列配置構造を有する第１および第２振動モジュール６００、７００は、表示パネル１００の第１領域（Ａ１）の振動面積を増加させることができ、図２４および図２５のそれぞれに示された表示装置１０ｃ、１０ｄの低音再生帯域の音圧特性を向上させることができる。
【０２５４】
そして、図２９に示した表示装置１０ｇは、第１方向（Ｘ）および第２方向（Ｙ）の対角線に沿って配置された第１および第２振動モジュール６００、７００を含むことができる。このように、対角線配置構造を有する第１および第２振動モジュール６００、７００は、並列配置構造を有する第１および第２振動モジュール６００、７００より表示パネル１００の第１領域（Ａ１）の振動面積をさらに増加させることができる。したがって、図２９に示した表示装置１０ｇは、図２４および図２５のそれぞれに示した表示装置１０ｃ、１０ｄより音圧特性をより向上させることができる。第１および第２振動モジュール６００、７００の対角線配置構造は、表示パネル１００の第１領域（Ａ１）内に２ｘ２構造に配置された複数の振動モジュールと同様の効果を有するので、表示パネル１００の第１領域（Ａ１）を振動させる振動モジュールの数を半分に減らすことができる。
【０２５５】
図３０は、本出願の他の例による表示装置で、複数の振動モジュールの第６実施例を示す平面図である。
【０２５６】
図３０を参照すると、表示装置１０ｈは、表示パネル１００の第１領域（Ａ１）と重畳する第１および第２振動モジュール６００、７００と、表示パネル１００の第２領域（Ａ２）と重畳する第３および第４振動モジュール８００、９００を含むことができる。
【０２５７】
表示装置１０ｈは、図２９に示した表示装置１０ｇに、プレート７５０、９５０をさらに含むことができる。
【０２５８】
プレート７５０は、表示パネル１００の第１領域（Ａ１）と第２振動モジュール７００の間に配置され得る。プレート７５０は、第２振動モジュール７００の質量（Ｍａｓｓ）を増加させて、第２振動モジュール７００が付着した表示パネル１００の共振周波数を減少させることにより、第２振動モジュール７００が付着した表示パネル１００が再生できる最低音域（または最低再生周波数）を低くして低音再生帯域の音圧を改善し、再生周波数帯域を拡張することができる。
【０２５９】
一例によると、プレート７５０を備えた第２振動モジュール７００は、質量が相対的に増加して表示パネル１００の共振周波数を相対的に減少させることができ、プレートを備えていない第１振動モジュール６００は、質量が相対的に減少して表示パネル１００の共振周波数を相対的に増加させ得る。このように、プレートを備えていない第１振動モジュール６００とプレート７５０を備えた第２振動モジュール７００は、圧電特性が異なり得る。例えば、プレートを備えていない第１振動モジュール６００は、相対的に高音再生帯域の音圧を向上させることができ、プレート７５０を備えた第２振動モジュール７００は、相対的に低音再生帯域の音圧を向上させることができる。これにより、プレートを備えていない第１振動モジュール６００とプレート７５０を備えた第２振動モジュール７００は、同じ入力信号を受信して、互いに異なる周波数特性を有する音響を出力することができる。したがって、本出願による表示装置１０ｈは、異なる圧電特性を有する第１および第２振動モジュール６００、７００を含むことにより、音圧の周波数特性を相互に補完して音圧の平坦特性を改善することができる。
【０２６０】
図３１は、図２７および図２８に示した表示装置の音圧レベルを示すグラフである。ここで、図２８に示した表示装置１０ｆの音圧レベルは、実線で示し、図２７に示した表示装置１０ｅの音圧レベルは、点線で示す。
【０２６１】
図３１を参照すると、図２８に示した表示装置１０ｆは、図２７に示した表示装置１０ｅにプレート６５０をさらに含んでいるので、図２７に示した表示装置１０ｅと異なる音圧特性を有することができる。
【０２６２】
例えば、図２７に示した表示装置１０ｅはプレートを含まないので、第１振動モジュール６００の質量を相対的に減少させ表示装置１０ｅの共振周波数を相対的に増加させ得る。
【０２６３】
そして、図２８に示した表示装置１０ｆは、プレート６５０を含むことにより、第１振動モジュール６００の質量（Ｍａｓｓ）を増加させて表示装置１０ｆの共振周波数を相対的に減少させ得る。
【０２６４】
一例によれば、図２７に示した表示装置１０ｅと図２８に示した表示装置１０ｆのそれぞれは、同一の入力信号を受信して、互いに異なる周波数特性を有する音響を出力することができる。例えば、図２７に示した表示装置１０ｅの最大音圧と最低音圧の差（ＤＶ１）は、図２８に示した表示装置１０ｆの最大音圧と最低音圧の差（ＤＶ２）と類似であり得る。このように、図２７に示した表示装置１０ｅと図２８に示した表示装置１０ｆは、異なる圧電特性を有するので、互いの周波数特性を相互に補完することができる。
【０２６５】
図３２は、図２９および図３０に示した表示装置の音圧レベルを示すグラフである。ここで、図３０に示した表示装置１０ｈの音圧レベルは、実線で示し、図２９に示した表示装置１０ｇの音圧レベルは、点線で示す。
【０２６６】
図３２を参照すると、図３０に示した表示装置１０ｈは、図２９に示した表示装置１０ｇにプレート７５０、９５０をさらに含んでいるので、図２９に示した表示装置１０ｇと異なる音圧特性を有することができる。
【０２６７】
一例によれば、図２９に示した表示装置１０ｇは、対角線配置構造を有する第１および第２振動モジュール６００、７００を含むことにより、表示装置１０の第１領域（Ａ１）の振動面積を増加させて少ない振動モジュールで多数の振動モジュールを適用した効果を有することができる。
【０２６８】
例えば、図２９に示した表示装置１０ｇは、対角線配置構造を有する第１および第２振動モジュール６００、７００を含んでいるので、一つの第１振動モジュール６００のみを含む図２７および図２８に示した表示装置１０ｅ、１０ｆより全周波数帯域での音圧を向上させることができる。したがって、図２９に示した表示装置１０ｇは、図２７および図２８に示した表示装置１０ｅ、１０ｆより音圧が高く、周波数特性が異なる音響を出力することができる。ただし、図２９に示した表示装置１０ｇの最大音圧と最低音圧の差（ＤＶ３）は、図２７および図２８のそれぞれに示した表示装置１０ｅ、１０ｆの最大音圧と最低音圧の差（ＤＶ１  、ＤＶ２）と類似であり得る。
【０２６９】
したがって、図２７〜図２９に示した表示装置１０ｅ、１０ｆ、１０ｇよりも高い平坦特性を有する音響を出力するために、図３０に示した表示装置１０ｈは、対角線配置構造を有する第１および第２振動モジュール６００、７００を含み、表示パネル１００の第１領域（Ａ１）と第２振動モジュール７００の間に配置されるプレート７５０をさらに含むことができる。これにより、プレート７５０を備えた第２振動モジュール７００は、質量が相対的に増加して表示パネル１００の共振周波数を相対的に減少させることができ、プレートを備えていない第１振動モジュール６００は、質量が相対的に減少して表示パネル１００の共振周波数を相対的に増加させることができる。例えば、プレートを備えていない第１振動モジュール６００は、相対的に高音再生帯域の音圧を向上させることができ、プレート７５０を備えた第２振動モジュール７００は、相対的に低音再生帯域の音圧を向上させることができる。したがって、本出願による表示装置１０ｈは、第１および第２振動モジュール６００、７００を対角線に沿って配置し、表示パネル１００の第１領域（Ａ１）と第２振動モジュール７００の間に配置されるプレート７５０をさらに含むことにより、音圧の周波数特性を相互に補完して音圧の平坦特性を改善することができる。
【０２７０】
結果的に、図３０に示した表示装置１０ｈの最大音圧と最低音圧の差（ＤＶ４）は、図２７〜図２９のそれぞれに示した表示装置１０ｅ、１０ｆ、１０ｇの最大音圧と最低音圧の差（ＤＶ１、ＤＶ２、ＤＶ３）より減少し得、音圧の平坦特性が向上し得る。
【０２７１】
図３３は、本出願の他の例による表示装置で、複数の振動モジュールの第７実施例を示す平面図である。
【０２７２】
図３３を参照すると、表示装置１０は、表示パネル１００の第１領域（Ａ１）と重畳する第１および第２振動モジュール６００、７００と、表示パネル１００の第２領域（Ａ２）と重畳する第３および第４振動モジュール８００、９００を含むことができる。
【０２７３】
一例によると、第１および第２振動モジュール６００、７００は、第１方向（Ｘ）および第２方向（Ｙ）の対角線に沿って配置することにより、表示装置１０の第１領域（Ａ１）の振動面積を増加させ、表示装置１０の音圧特性を向上させることができる。
【０２７４】
第１振動モジュール６００の複数の第１部分６１１、６２１、６３１、６４１は、平面上で第２方向（Ｙ）に延長され得、第２振動モジュール７００の複数の第１部分７１１、７２１、７３１、７４１は、平面上で第１方向（Ｘ）に延長され得る。したがって、複数の第１部分６１１、６２１、６３１、６４１が第２方向（Ｙ）に配列された第１振動モジュール６００と、複数の第１部分７１１、７２１、７３１、７４１が第１方向（Ｘ）に配列された第２振動モジュール７００は、圧電特性が互いに異なり得る。
【０２７５】
したがって、図３３に示した表示装置１０は、対角線配置構造を有する第１および第２振動モジュール６００、７００を含むことにより、表示装置１０の第１領域（Ａ１）の振動面積を増加させて少ない振動モジュールで多数の振動モジュールを適用した効果を有することができる。そして、図３３に示した表示装置１０は、第１振動モジュール６００の複数の第１部分６１１、６２１、６３１、６４１と第２振動モジュール７００の複数の第１部分７１１、７２１、７３１、７４１を異なった方向に配列することで、音圧の周波数特性を相互に補完して音圧の平坦特性を改善することができる。
【０２７６】
図３４は、本出願の他の例による表示装置で、複数の振動モジュールの第８実施例を示す平面図である。
【０２７７】
図３４を参照すると、表示装置１０は、表示パネル１００の第１領域（Ａ１）と重畳する第１および第２振動モジュール６００、７００と、表示パネル１００の第２領域（Ａ２）と重畳する第３および第４振動モジュール８００、９００を含むことができる。
【０２７８】
一例によると、第１および第２振動モジュール６００、７００は、第２方向（Ｙ）に沿って配置することにより、表示装置１０の第１領域（Ａ１）の振動面積を増加させ、表示装置１０の音圧特性を向上させることができる。
【０２７９】
第１振動モジュール６００の複数の第１部分６１１、６２１、６３１、６４１は、平面上で第２方向（Ｙ）に延長され得、第２振動モジュール７００の複数の第１部分７１１、７２１、７３１、７４１は、平面上で第１方向（Ｘ）に延長され得る。したがって、複数の第１部分６１１、６２１、６３１、６４１が第２方向（Ｙ）に配列された第１振動モジュール６００と、複数の第１部分７１１、７２１、７３１、７４１が第１方向（Ｘ）に配列された第２振動モジュール７００は、圧電特性が互いに異なり得る。
【０２８０】
したがって、図３４に示した表示装置１０は、並列配置構造を有する第１および第２振動モジュール６００、７００を含むことにより、表示装置１０の第１領域（Ａ１）の振動面積を増加させて少ない振動モジュールで多数の振動モジュールを適用した効果を有することができる。そして、図３４に示した表示装置１０は、第１振動モジュール６００の複数の第１部分６１１、６２１、６３１、６４１と第２振動モジュール７００の複数の第１部分７１１、７２１、７３１、７４１を異なった方向に配列することで、音圧の周波数特性を相互に補完して音圧の平坦特性を改善することができる。
【０２８１】
図３５は、本出願の他の例による表示装置で、複数の振動モジュールの第９実施例を示す平面図である。
【０２８２】
図３５を参照すると、表示装置１０は、表示パネル１００の第１領域（Ａ１）と重畳する第１および第２振動モジュール６００、７００と、表示パネル１００の第２領域（Ａ２）と重畳する第３および第４振動モジュール８００、９００を含むことができる。
【０２８３】
一例によると、第１および第２振動モジュール６００、７００は、第２方向（Ｙ）に沿って配置することにより、表示装置１０の第１領域（Ａ１）の振動面積を増加させ、表示装置１０の音圧特性を向上させることができる。
【０２８４】
一例によると、第１振動モジュール６００の第１および第３サブモジュール６１０、６３０と第２振動モジュール７００の第１および第３サブモジュール７１０、７３０の複数の第１部分６１１、６３１、７１１、７３１は、平面上で第２方向（Ｙ）に延長され得る。
【０２８５】
そして、第１振動モジュール６００の第２および第４サブモジュール６２０、６４０と第２振動モジュール７００の第２および第４サブモジュール７２０、７４０の複数の第１部分６２１、６４１、７２１、７４１は、平面上で第１方向（Ｘ）に延長され得る。
【０２８６】
したがって、第２方向（Ｙ）に配列された複数の第１部分６１１、６３１、７１１、７３１と、第１方向（Ｘ）に配列された複数の第１部分６２１、６４１、７２１、７４１は、圧電特性が互いに異なり得る。
【０２８７】
表示装置１０は、表示パネル１００の第１領域（Ａ１）と第２振動モジュール７００の間に配置されたプレート７５０をさらに含むことができる。プレート７５０は、第２振動モジュール７００の質量（Ｍａｓｓ）を増加させて、第２振動モジュール７００が付着した表示パネル１００の共振周波数を減少させることができる。
【０２８８】
したがって、図３５に示した表示装置１０は、並列配置構造を有する第１および第２振動モジュール６００、７００を含むことにより、表示装置１０の第１領域（Ａ１）の振動面積を増加させて少ない振動モジュールで多数の振動モジュールを適用した効果を有することができる。そして、図３５に示した表示装置１０は、第２方向（Ｙ）に配列された複数の第１部分６１１、６３１、７１１、７３１と、第１方向（Ｘ）に配列された複数の第１部分６２１、６４１、７２１、７４１を含むことにより、音圧の周波数特性を相互に補完することができる。また、図３５に示した表示装置１０は、プレートを備えていない第１振動モジュール６００とプレート７５０を備えた第２振動モジュール７００を含むことにより、最低再生周波数を低くして低音再生帯域の音圧を改善し、音圧の平坦特性を改善することができる。
【０２８９】
図３６は、本出願の他の例による表示装置で、複数の振動モジュールの第１０実施例を示す平面図である。
【０２９０】
図３６を参照すると、表示装置１０は、表示パネル１００の第１領域（Ａ１）と重畳する第１および第２振動モジュール６００、７００と、表示パネル１００の第２領域（Ａ２）と重畳する第３および第４振動モジュール８００、９００を含むことができる。
【０２９１】
一例によると、第１および第２振動モジュール６００、７００は、第１方向（Ｘ）に沿って配置することにより、表示装置１０の第１領域（Ａ１）の振動面積を増加させ、表示装置１０の音圧特性を向上させることができる。
【０２９２】
一例によると、第１振動モジュール６００の第１および第３サブモジュール６１０、６３０と第２振動モジュール７００の第１および第３サブモジュール７１０、７３０の複数の第１部分６１１、６３１、７１１、７３１は、平面上で第２方向（Ｙ）に延長され得る。
【０２９３】
そして、第１振動モジュール６００の第２および第４サブモジュール６２０、６４０と第２振動モジュール７００の第２および第４サブモジュール７２０、７４０の複数の第１部分６２１、６４１、７２１、７４１は、平面上で第１方向（Ｘ）に延長され得る。
【０２９４】
したがって、第２方向（Ｙ）に配列された複数の第１部分６１１、６３１、７１１、７３１と、第１方向（Ｘ）に配列された複数の第１部分６２１、６４１、７２１、７４１は、圧電特性が互いに異なり得る。
【０２９５】
表示装置１０は、表示パネル１００の第１領域（Ａ１）と第２振動モジュール７００の間に配置されたプレート７５０をさらに含むことができる。プレート７５０は、第２振動モジュール７００の質量（Ｍａｓｓ）を増加させて、第２振動モジュール７００が付着した表示パネル１００の共振周波数を減少させることができる。
【０２９６】
したがって、図３６に示した表示装置１０は、並列配置構造を有する第１および第２振動モジュール６００、７００を含むことにより、表示装置１０の第１領域（Ａ１）の振動面積を増加させて少ない振動モジュールで多数の振動モジュールを適用した効果を有することができる。そして、図３６に示した表示装置１０は、第２方向（Ｙ）に配列された複数の第１部分６１１、６３１、７１１、７３１と、第１方向（Ｘ）に配列された複数の第１部分６２１、６４１、７２１、７４１を含むことにより、音圧の周波数特性を相互に補完することができる。また、図３６に示した表示装置１０は、プレートを備えていない第１振動モジュール６００とプレート７５０を備えた第２振動モジュール７００を含むことにより、最低再生周波数を低くして低音再生帯域の音圧を改善し、音圧の平坦特性を改善することができる。
【０２９７】
図３７は、本出願の他の例による表示装置で、複数の振動モジュールの第１１実施例を示す平面図である。
【０２９８】
図３７を参照すると、表示装置１０は、表示パネル１００の第１領域（Ａ１）と重畳する第１および第２振動モジュール６００、７００と、表示パネル１００の第２領域（Ａ２）と重畳する第３および第４振動モジュール８００、９００を含むことができる。
【０２９９】
一例によると、第１および第２振動モジュール６００、７００は、第１方向（Ｘ）および第２方向（Ｙ）の対角線に沿って配置することにより、表示装置１０の第１領域（Ａ１）の振動面積を増加させ、表示装置１０の音圧特性を向上させることができる。
【０３００】
一例によると、第１振動モジュール６００の第１および第４サブモジュール６１０、６４０と第２振動モジュール７００の第１および第４サブモジュール７１０、７４０の複数の第１部分６１１、６４１、７１１、７４１は、平面上で第２方向（Ｙ）に延長され得る。
【０３０１】
そして、第１振動モジュール６００の第２および第３サブモジュール６２０、６３０と第２振動モジュール７００の第２および第３サブモジュール７２０、７３０の複数の第１部分６２１、６３１、７２１、７３１は、平面上で第１方向（Ｘ）に延長され得る。
【０３０２】
したがって、第２方向（Ｙ）に配列された複数の第１部分６１１、６４１、７１１、７４１と、第１方向（Ｘ）に配列された複数の第１部分６２１、６３１、７２１、７３１は、圧電特性が互いに異なり得る。
【０３０３】
表示装置１０は、表示パネル１００の第１領域（Ａ１）と第２振動モジュール７００の間に配置されたプレート７５０をさらに含むことができる。プレート７５０は、第２振動モジュール７００の質量（Ｍａｓｓ）を増加させて、第２振動モジュール７００が付着した表示パネル１００の共振周波数を減少させることができる。
【０３０４】
したがって、図３７に示した表示装置１０は、対角線配置構造を有する第１および第２振動モジュール６００、７００を含むことにより、表示装置１０の第１領域（Ａ１）の振動面積を増加させて少ない振動モジュールで多数の振動モジュールを適用した効果を有することができる。そして、図３７に示した表示装置１０は、第２方向（Ｙ）に配列された複数の第１部分６１１、６４１、７１１、７４１と、第１方向（Ｘ）に配列された複数の第１部分６２１、６３１、７２１、７３１を含むことにより、音圧の周波数特性を相互に補完することができる。また、図３７に示した表示装置１０は、プレートを備えていない第１振動モジュール６００とプレート７５０を備えた第２振動モジュール７００を含むことにより、最低再生周波数を低くして低音再生帯域の音圧を改善し、音圧の平坦特性を改善することができる。
【０３０５】
図３８は、本出願の他の例による表示装置で、複数の振動モジュールの第１２実施例を示す平面図である。
【０３０６】
図３８を参照すると、表示装置１０は、表示パネル１００の第１領域（Ａ１）と重畳する第１および第２振動モジュール６００、７００と、表示パネル１００の第２領域（Ａ２）と重畳する第３および第４振動モジュール８００、９００を含むことができる。
【０３０７】
一例によると、第１および第２振動モジュール６００、７００は、第１方向（Ｘ）および第２方向（Ｙ）の対角線に沿って配置することにより、表示装置１０の第１領域（Ａ１）の振動面積を増加させ、表示装置１０の音圧特性を向上させることができる。
【０３０８】
一例によると、第１振動モジュール６００の第１および第３サブモジュール６１０、６３０と第２振動モジュール７００の第１および第３サブモジュール７１０、７３０の複数の第１部分６１１、６３１、７１１、７３１は、平面上で第２方向（Ｙ）に延長され得る。
【０３０９】
そして、第１振動モジュール６００の第２および第４サブモジュール６２０、６４０と第２振動モジュール７００の第２および第４サブモジュール７２０、７４０の複数の第１部分６２１、６４１、７２１、７４１は、平面上で第１方向（Ｘ）に延長され得る。
【０３１０】
したがって、第２方向（Ｙ）に配列された複数の第１部分６１１、６３１、７１１、７３１と、第１方向（Ｘ）に配列された複数の第１部分６２１、６４１、７２１、７４１は、圧電特性が互いに互いに異なり得る。
【０３１１】
表示装置１０は、表示パネル１００の第１領域（Ａ１）と第２振動モジュール７００の間に配置されたプレート７５０をさらに含むことができる。プレート７５０は、第２振動モジュール７００の質量（Ｍａｓｓ）を増加させて、第２振動モジュール７００が付着した表示パネル１００の共振周波数を減少させることができる。
【０３１２】
したがって、図３８に示した表示装置１０は、対角線配置構造を有する第１および第２振動モジュール６００、７００を含むことにより、表示装置１０の第１領域（Ａ１）の振動面積を増加させて少ない振動モジュールで多数の振動モジュールを適用した効果を有することができる。そして、図３８に示した表示装置１０は、第２方向（Ｙ）に配列された複数の第１部分６１１、６３１、７１１、７３１と、第１方向（Ｘ）に配列された複数の第１部分６２１、６４１、７２１、７４１を含むことにより、音圧の周波数特性を相互に補完することができる。また、図３８に示した表示装置１０は、プレートを備えていない第１振動モジュール６００とプレート７５０を備えた第２振動モジュール７００を含むことにより、最低再生周波数を低くして低音再生帯域の音圧を改善し、音圧の平坦特性を改善することができる。
【０３１３】
本出願の実施例に係る表示装置は、モバイルデバイス、映像電話、スマートウォッチ（Ｓｍａｒｔ  Ｗａｔｃｈ）、ウォッチフォン（Ｗａｔｃｈ  Ｐｈｏｎｅ）、ウェアラブル機器（Ｗｅａｒａｂｌｅ  Ｄｅｖｉｃｅ）、フォルダブル機器（Ｆｏｌｄａｂｌｅ  Ｄｅｖｉｃｅ）、ローラブル機器（Ｒｏｌｌａｂｌｅ  Ｄｅｖｉｃｅ）、ベンダブル機器（Ｂｅｎｄａｂｌｅ  Ｄｅｖｉｃｅ）、フレキシブル機器（Ｆｌｅｘｉｂｌｅ  Ｄｅｖｉｃｅ）、透明表示装置（Ｔｒａｎｓｐａｒｅｎｔ  Ｄｉｓｐｌａｙ  Ａｐｐａｒａｔｕｓ）、カーブド機器（Ｃｕｒｖｅｄ  Ｄｅｖｉｃｅ）、電子手帳、電子ブック、ＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）、ＭＰ３プレーヤー、携帯電話、医療機器、デスクトップＰＣ（Ｄｅｓｋｔｏｐ  ＰＣ）、ラップトップＰＣ（Ｌａｐｔｏｐ  ＰＣ）、ネットブックコンピュータ（Ｎｅｔｂｏｏｋ  Ｃｏｍｐｕｔｅｒ）、ポータブルコンピュータ（Ｐｏｒｔａｂｌｅ  Ｃｏｍｐｕｔｅｒ）、ワークステーション、（Ｗｏｒｋｓｔａｔｉｏｎ）、ナビゲーション、カーナビゲーション、車両用表示装置、テレビ、ウォールペーパー（Ｗａｌｌ  Ｐａｐｅｒ）、サイネージ（Ｓｉｇｎａｇｅ）機器、ゲーム機器、照明装置、ノートパソコン、モニター、カメラ、ビデオカメラ、および家電機器などに適用することができる。
【０３１４】
本出願の実施例に係る表示装置は、以下のように説明することができる。
【０３１５】
本出願による表示装置は、映像を表示する表示パネル、および表示パネルの背面に配置して表示パネルを振動させる複数のサブモジュールを有する圧電複合層を備えた少なくとも一つの振動モジュールを含み、複数のサブモジュールのそれぞれは、圧電特性を有する複数の第１部分、および複数の第１部分の間に配置されてフレキシビリティを有する複数の第２部分を含み、複数のサブモジュールのそれぞれの複数の第１部分の配列方向はすべて同じか、または一部が異なり得る。
【０３１６】
本出願のいくつかの実施例によると、複数の第１部分は、無機物質からなり、複数の第２部分は、有機物質からなり得る。
【０３１７】
本出願のいくつかの実施例によると、複数のサブモジュールのそれぞれの複数の第１部分は、平面上で第１方向に延長されたり、第１方向と垂直な第２方向に延長され得る。
【０３１８】
本出願のいくつかの実施例によると、複数のサブモジュールは、圧電複合層の左側上段に配置された第１サブモジュール、圧電複合層の右側上段に配置された第２サブモジュール、圧電複合層の左側下段に配置された第３サブモジュール、および圧電複合層の右側下段に配置された第４サブモジュールを含むことができる。
【０３１９】
本出願のいくつかの実施例によると、第１〜第４サブモジュールの複数の第１部分の配列方向は同じであり得る。
【０３２０】
本出願のいくつかの実施例によると、第１および第２サブモジュールの複数の第１部分の配列方向と第３および第４サブモジュールの複数の第１部分の配列方向は互いに異なり得る。
【０３２１】
本出願のいくつかの実施例によると、第１および第３サブモジュールのそれぞれの複数の第１部分の配列方向と第２および第４サブモジュールのそれぞれの複数の第１部分の配列方向は互いに異なり得る。
【０３２２】
本出願のいくつかの実施例によると、表示パネルと、少なくとも一つの振動モジュールの間に介在するプレートをさらに含むことができる。
【０３２３】
本出願による表示装置は、第１領域および第２領域を含み、映像を表示する表示パネル、および表示パネルの背面に配置して表示パネルの第１領域および第２領域のそれぞれを振動させる複数の振動モジュールを含み、複数の振動モジュールのそれぞれは、複数のサブモジュールを有する圧電複合層を含み、複数のサブモジュールのそれぞれは、圧電特性を有する複数の第１部分、および複数の第１部分の間に配置されてフレキシビリティを有する複数の第２部分を含み、複数のサブモジュールのそれぞれの複数の第１部分の配列方向はすべて同じか、または一部が異なり得る。
【０３２４】
本出願のいくつかの実施例によると、複数の振動モジュールは、第１領域と重畳する第１振動モジュール、第１領域と重畳して第１振動モジュールと互い違いに配置される第２振動モジュール、第２領域と重畳する第３振動モジュール、および第２領域と重畳して第３振動モジュールと互い違いに配置される第４振動モジュールを含むことができる。
【０３２５】
本出願のいくつかの実施例によると、第１振動モジュールの複数のサブモジュールそれぞれの複数の第１部分の配列方向は、第３振動モジュールの複数のサブモジュールそれぞれの複数の第１部分の配列方向と同じで、第２振動モジュールの複数のサブモジュールそれぞれの複数の第１部分の配列方向は、第４振動モジュールの複数のサブモジュールそれぞれの複数の第１部分の配列方向と同じであり得る。
【０３２６】
本出願のいくつかの実施例によると、第１および第２振動モジュールのそれぞれの複数のサブモジュールの複数の第１部分の配列方向はすべて同じであり得る。
【０３２７】
本出願のいくつかの実施例によると、第１〜第４振動モジュールのそれぞれは、圧電複合層の左側上段に配置された第１サブモジュール、圧電複合層の右側上段に配置された第２サブモジュール、圧電複合層の左側下段に配置された第３サブモジュール、および圧電複合層の右側下段に配置された第４サブモジュールを含むことができる。
【０３２８】
本出願のいくつかの実施例によると、第１振動モジュールの第１および第４サブモジュールの複数の第１部分の配列方向は、第１振動モジュールの第２および第３サブモジュールの複数の第１部分の配列方向と互いに異なり得る。
【０３２９】
本出願のいくつかの実施例によると、第１振動モジュールの第１および第３サブモジュールの複数の第１部分の配列方向は、第１振動モジュールの第２および第４サブモジュールの複数の第１部分の配列方向と互いに異なり得る。
【０３３０】
本出願のいくつかの実施例によると、第１振動モジュールの複数のサブモジュールの複数の第１部分の配列方向は、第２振動モジュールの複数のサブモジュールの複数の第１部分の配列方向と互いに異なり得る。
【０３３１】
本出願のいくつかの実施例によると、複数の振動モジュールは、第１領域と重畳する第１振動モジュール、第１振動モジュールと平面上で垂直方向に隣接する第２振動モジュール、第２領域と重畳する第３振動モジュール、および第３振動モジュールと平面上で垂直方向に隣接する第４振動モジュールを含むことができる。
【０３３２】
本出願のいくつかの実施例によると、第１振動モジュールの複数のサブモジュールの複数の第１部分の配列方向は、第２振動モジュールの複数のサブモジュールの複数の第１部分の配列方向と互いに異なり得る。
【０３３３】
本出願のいくつかの実施例によると、第１〜第４振動モジュールのそれぞれは、圧電複合層の左側上段に配置された第１サブモジュール、圧電複合層の右側上段に配置された第２サブモジュール、圧電複合層の左側下段に配置された第３サブモジュール、および圧電複合層の右側下段に配置された第４サブモジュールを含むことができる。
【０３３４】
本出願のいくつかの実施例によると、第１振動モジュールの第１および第３サブモジュールの複数の第１部分の配列方向は、第１振動モジュールの第２および第４サブモジュールの複数の第１部分の配列方向と互いに異なり得る。
【０３３５】
本出願のいくつかの実施例によると、複数の振動モジュールは、第１領域と重畳する第１振動モジュール、第１振動モジュールと平面上で水平方向に隣接する第２振動モジュール、第２領域と重畳する第３振動モジュール、および第３振動モジュールと平面上で水平方向に隣接する第４振動モジュールを含むことができる。
【０３３６】
本出願のいくつかの実施例によると、第１〜第４振動モジュールのそれぞれは、圧電複合層の左側上段に配置された第１サブモジュール、圧電複合層の右側上段に配置された第２サブモジュール、圧電複合層の左側下段に配置された第３サブモジュール、および圧電複合層の右側下段に配置された第４サブモジュールを含むことができる。
【０３３７】
本出願のいくつかの実施例によると、第１振動モジュールの第１および第３サブモジュールの複数の第１部分の配列方向は、第１振動モジュールの第２および第４サブモジュールの複数の第１部分の配列方向と互いに異なり得る。
【０３３８】
本出願のいくつかの実施例によると、表示装置は、第２〜第４振動モジュールのそれぞれと表示パネル間に介在するプレートをさらに含むことができる。
【０３３９】
以上で説明した本出願は、前述した実施例および添付した図に限定されるものではなく、本出願の技術的事項を逸脱しない範囲内で、複数の置換、変形および変更が可能であることが、本出願が属する技術分野で通常の知識を有する者にとって明らかであろう。したがって、本出願の範囲は、後述する特許請求の範囲によって示され、特許請求の範囲の意味および範囲そしてその等価概念から導出されるすべての変更または変形された形態が本出願の範囲に含まれるものと解釈されなければならない。
【符号の説明】
【０３４０】
１００：表示パネル
２００：振動モジュール
２０１：複数の第１部分
２０２：複数の第２部分
２０３：第１電極層
２０４：第２電極層
２１０〜２４０：第１〜第４サブモジュール
３００：構造物
４００：固定部材
５００：パーティション
【図１】
2020167360.tif 000003
【図２】
2020167360.tif 000004
【図３】
2020167360.tif 000005
【図４】
2020167360.tif 000006
【図５】
2020167360.tif 000007
【図６】
2020167360.tif 000008
【図７】
2020167360.tif 000009
【図８】
2020167360.tif 000010
【図９】
2020167360.tif 000011
【図１０】
2020167360.tif 000012
【図１１】
2020167360.tif 000013
【図１２】
2020167360.tif 000014
【図１３】
2020167360.tif 000015
【図１４】
2020167360.tif 000016
【図１５】
2020167360.tif 000017
【図１６】
2020167360.tif 000018
【図１７】
2020167360.tif 000019
【図１８】
2020167360.tif 000020
【図１９】
2020167360.tif 000021
【図２０】
2020167360.tif 000022
【図２１】
2020167360.tif 000023
【図２２】
2020167360.tif 000024
【図２３】
2020167360.tif 000025
【図２４】
2020167360.tif 000026
【図２５】
2020167360.tif 000027
【図２６】
2020167360.tif 000028
【図２７】
2020167360.tif 000029
【図２８】
2020167360.tif 000030
【図２９】
2020167360.tif 000031
【図３０】
2020167360.tif 000032
【図３１】
2020167360.tif 000033
【図３２】
2020167360.tif 000034
【図３３】
2020167360.tif 000035
【図３４】
2020167360.tif 000036
【図３５】
2020167360.tif 000037
【図３６】
2020167360.tif 000038
【図３７】
2020167360.tif 000039
【図３８】
2020167360.tif 000040